(57)【要約】   所定量のペースト状プラスチックを供給するよう配置する押出手段（２）と、上記所定量を圧縮成形して被成形体（８）を得るよう配置する成形手段（６）を備える成形用カルーセル手段（７）と、上記被成形体を熱的に調節するための熱調節用カルーセル手段（９；１０９）を含む装置であって；カルーセル手段（１１）と、上記カルーセル手段（１１）によって支持し、上記カルーセル手段（１１）に関して可動にして、被成形体（８）を移動させる搬送ユニット手段（１２；１０１）と、上記被成形体（８）を熱的に調節するよう配置する熱調節手段（１３）とを含み、該熱調節手段（１３）を上記搬送ユニット手段（１２；１００）と関連させる装置。【選択図】図１
2008531350.tif 000002
【特許請求の範囲】
【請求項１】
所定量のペースト状プラスチックを供給するよう配置する押出手段（２）と、前記所定量を圧縮成形して被成形体（８）を得るよう配置する成形手段（６）を備える成形用カルーセル手段（７）と、前記被成形体を熱的に調節するよう配置する熱調節装置とを含む装置であって、前記熱調節装置には熱調節用カルーセル手段（９；１０９）を含むこと、を特徴とする装置。
【請求項２】
前記被成形体には、容器プリフォーム（８）を含むこと、を特徴とする請求項１に記載の装置。
【請求項３】
前記熱調節用カルーセル手段（９）には、カルーセル手段（１１）及び前記カルーセル手段（１１）によって支持し、前記カルーセル手段（１１）に関して可動な搬送ユニット手段（１２；１０１）を含み、熱調節手段（１３）を前記搬送ユニット手段（１２；１０１）と関連させること、を特徴とする請求項１又は２に記載の装置。
【請求項４】
前記熱調節手段には、冷却手段（１３）を含むこと、を特徴とする請求項３に記載の装置。
【請求項５】
前記カルーセル手段（１１）を連続的に夫々の回転軸手段（Ｂ）周りに回転させるよう配置する駆動手段を、更にまた含むこと、を特徴とする請求項３又は４に記載の装置。
【請求項６】
前記カルーセル手段（１１）を夫々の回転軸手段（Ｂ）周りに角度的にインデックス回転させるよう配置する駆動手段を更にまた含むこと、を特徴とする請求項３又は４に記載の装置。
【請求項７】
前記搬送ユニット手段には、更なるカルーセル手段（１２）を含むこと、を特徴とする請求項３乃至６の何れか１項に記載の装置。
【請求項８】
前記更なるカルーセル手段には、複数のカルーセル（１２）を含むこと、を特徴とする請求項７に記載の装置。
【請求項９】
前記カルーセル（１２）を、前記カルーセル手段（１１）の円周方向に配置すること、を特徴とする請求項８に記載の装置。
【請求項１０】
前記カルーセル（１２）を、前記カルーセル手段（１１）の周縁ゾーンに配置すること、を特徴とする請求項８又は９に記載の装置。
【請求項１１】
前記カルーセル（１２）を前記カルーセル手段（１１）に略一定の角度間隔で配設すること、を特徴とする請求項８乃至１０の何れか１項に記載の装置。
【請求項１２】
前記カルーセル（１２）を夫々の回転軸（Ｃ）周りに連続的に回転させるよう配置する更なる駆動手段を更にまた含むこと、を特徴とする請求項８乃至１１の何れか１項に記載の装置。
【請求項１３】
前記カルーセル（１２）を夫々の回転軸（Ｃ）周りに角度的にインデックス回転させるよう配置する更なる駆動手段を更にまた含むこと、を特徴とする請求項８乃至１１の何れか１項に記載の装置。
【請求項１４】
前記カルーセル（１２）を、略前記カルーセル手段（１１）と略平行に配置すること、を特徴とする請求項８乃至１３の何れか１項に記載の装置。
【請求項１５】
前記カルーセル（１２）を前記カルーセル手段（１１）に関して横断方向に配置すること、を特徴とする請求項８乃至１３の何れか１項に記載の装置。
【請求項１６】
前記カルーセル（１２）を、前記カルーセル手段（１１）に関して略半径方向に配置すること、を特徴とする請求項１５に記載の装置。
【請求項１７】
各前記カルーセル（１２）には、前記熱調節手段である複数の熱調節装置（１３）を含むこと、を特徴とする請求項８乃至１６の何れか１項に記載の装置。
【請求項１８】
前記熱調節装置（１３）を、各前記カルーセル（１２）の円周方向に配置すること、を特徴とする請求項１７に記載の装置。
【請求項１９】
前記熱調節装置（１３）を、各前記カルーセル（１２）の周縁ゾーンに配置すること、を特徴とする請求項１７又は１８に記載の装置。
【請求項２０】
前記熱調節装置（１３）を、前記カルーセル（１２）に略一定の角度間隔で配設すること、を特徴とする請求項１７乃至１９の何れか１項に記載の装置。
【請求項２１】
前記搬送ユニット手段（１００）には、ループ状の搬送ユニット手段（１０１）を含むこと、を特徴とする請求項３乃至６の何れか１項に記載の装置。
【請求項２２】
前記ループ状搬送ユニット手段には、複数のループ状搬送ユニット（１０１）を含むこと、を特徴とする請求項２１に記載の装置。
【請求項２３】
前記ループ状搬送ユニット（１０１）には、前記カルーセル手段（１１）に関して可動で、前記被成形体（８）を受容するよう配置するループ状可撓性要素（１０２）を含むこと、を特徴とする請求項２２に記載の装置。
【請求項２４】
前記ループ状搬送ユニット（１０１）を、前記カルーセル手段（１１）の円周方向に配置すること、を特徴とする請求項２２又は２３に記載の装置。
【請求項２５】
前記ループ状搬送ユニット（１０１）を、前記カルーセル手段（１１）に略一定の角度間隔で配設すること、を特徴とする請求項２２乃至２４の何れか１項に記載の装置。
【請求項２６】
前記ループ状搬送ユニット（１０１）を連続的に駆動するよう配置するなお更なる駆動手段を更にまた含むこと、を特徴とする請求項２２乃至２５の何れか１項に記載の装置。
【請求項２７】
前記ループ状搬送ユニット（１０１）をインデックス回転させるよう配置するなお更なる駆動手段を更にまた含むこと、を特徴とする請求項２２乃至２５の何れか１項に記載の装置。
【請求項２８】
前記ループ状可撓性要素（１０２）は、前記カルーセル手段（１１）の周縁領域（１０５）と前記カルーセル手段（１１）の中心領域（１０６）との間に延在すること、を特徴とする請求項２３に記載の、又は請求項２３に付属する請求項２４乃至２７の何れか１項に記載の装置。
【請求項２９】
前記ループ状可撓性要素（１０２）は、前記カルーセル手段（１１）と略平行に延在すること、を特徴とする請求項２８に記載の装置。
【請求項３０】
前記ループ状可撓性要素（１０２）には、前記カルーセル手段（１１）に近い部分及び前記カルーセル手段（１１）から遠い部分を含むこと、を特徴とする請求項２３に記載の、又は請求項２３に付属する請求項２４乃至２７の何れか１項に記載の装置。
【請求項３１】
前記ループ状可撓性要素（１０２）は、前記カルーセル手段（１１）に関して横断方向に延在すること、を特徴とする請求項３０に記載の装置。
【請求項３２】
前記ループ状可撓性要素（１０２）は、前記カルーセル手段（１１）に関して略垂直に延在すること、を特徴とする請求項３１に記載の装置。
【請求項３３】
各ループ状搬送ユニット（１０１）には、前記熱調節手段である複数の熱調節装置（１３）を含むこと、を特徴とする請求項２２乃至３２の何れか１項に記載の装置。
【請求項３４】
前記熱調節装置（１３）を、ループ状搬送ユニット（１０１）に略一定間隔で配設すること、を特徴とする請求項３３に記載の装置。
【請求項３５】
前記熱調節手段には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項３乃至３４の何れか１項に記載の装置。
【請求項３６】
前記空洞手段（４９）と前記長尺要素（５７）を、互いに近接離隔可動にすること、を特徴とする請求項３５に記載の装置。
【請求項３７】
前記熱調節用カルーセル手段（１０９）には、熱調節用チャンバ手段（７８）を含み、該チャンバ手段内側でガイド手段（７９）を画定し、該ガイド手段に沿って前記被成形体（８）を、列を画定するようにして前進させ、前記ガイド手段（７９）を、前記熱調節用チャンバ手段（７８）内側に備えたカルーセル手段（７７）内に獲得すること、を特徴とする請求項１乃至３の何れか１項に記載の装置。
【請求項３８】
前記ガイド手段（７９）は、前記カルーセル手段（７７）の周縁ゾーン（８４）と前記カルーセル手段（７７）の中心ゾーン（８５）との間に延在すること、を特徴とする請求項３７に記載の装置。
【請求項３９】
前記ガイド手段（７９）を、前記カルーセル手段（７７）に関して略半径方向に配置すること、を特徴とする請求項３８に記載の装置。
【請求項４０】
前記被成形体（８）を前記ガイド手段（７９）に沿って移動させるよう配置する移動手段（８２）を更にまた含むこと、を特徴とする請求項３７乃至３９の何れか１項に記載の装置。
【請求項４１】
前記移動手段には、前記カルーセル手段（７７）に関して定位置に配置して、前記被成形体（８）と相互作用する転向手段（８２）を含むこと、を特徴とする請求項４０に記載の装置。
【請求項４２】
前記転向手段には、前記周縁ゾーン（８４）から前記中心ゾーン（８５）へと収束する経路に沿って延在するバッフル手段（８２）を含むこと、を特徴とする請求項４０を請求項３８又は３９に付属するものとして請求項４１に記載の装置。
【請求項４３】
前記経路には螺旋部分を含むこと、を特徴とする請求項４２に記載の装置。
【請求項４４】
前記バッフル手段（８２）は、前記調節用チャンバ手段（７８）内側で、前記調節用チャンバ手段（７８）の範囲を画定する前記壁手段（８０）から突出すること、を特徴とする請求項４２又は４３に記載の装置。
【請求項４５】
前記壁（８０）を、前記カルーセル手段（７７）と略平行に配置すること、を特徴とする請求項４４に記載の装置。
【請求項４６】
前記被成形体（８）に流体流を向けるよう配置する分配ノズル手段（８１）を、更にまた含むこと、を特徴とする請求項３７乃至４５の何れか１項に記載の装置。
【請求項４７】
前記分配ノズル手段には、前記経路に沿って略配置する複数のノズル（８１）を含むこと、を特徴とする請求項４２乃至４５の何れか１項に付属する請求項４６に記載の装置。
【請求項４８】
前記分配ノズル手段（８１）を前記壁手段（８０）と関連させること、を特徴とする請求項４６を請求項４４又は４５に付属するものとして請求項４６又は４７に記載の装置。
【請求項４９】
前記分配ノズル手段  （８１）は、前記調節用チャンバ手段（７８）内側で、前記壁手段から、前記流体流を前記被成形体（８）の内側部分に向けるようにして、突出すること、を特徴とする請求項４８に記載の装置。
【請求項５０】
更なる流体流を前記調節用チャンバ手段（７８）に搬送するよう配置する搬送手段（８８）を更にまた含むこと、を特徴とする請求項３７乃至４９の何れか１項に記載の装置。
【請求項５１】
前記搬送手段（８８）は前記調節用チャンバ手段（７８）に前記周縁ゾーン（８４）で繋がること、を特徴とする請求項３８に付属する請求項５０に記載の、又は請求項３８に付属する請求項３９乃至４９の何れか１項に記載の装置。
【請求項５２】
調節用流体手段を前記調節用チャンバ手段（７８）から、前記調節用流体手段が前記被成形体（８）と相互作用した後、取出すよう配置する取出手段を、更にまた含むこと、を特徴とする請求項３７乃至５１の何れか１項に記載の装置。
【請求項５３】
前記取出手段には、前記壁手段（８０）に獲得する取出用開口手段と関連する吸引手段を含むこと、を特徴とする請求項４４又は４５に付属する請求項５２に記載の、又は請求項４４又は４５に付属する請求項４６乃至５１の何れか１項に記載の装置。
【請求項５４】
前記取出用開口手段には、複数の穴を含むこと、を特徴とする請求項５３に記載の装置。
【請求項５５】
前記被成形体を前記熱調節用カルーセル手段（９；１０９）から抜出すよう配置する抜出用カルーセル（３３）を更にまた含むこと、を特徴とする前請求項の何れかに記載の装置。
【請求項５６】
前記被成形体（８）を点検するよう配置する検査手段（３５）を、前記抜出用カルーセル（３３）と関連させること、を特徴とする請求項５５に記載の装置。
【請求項５７】
前記検査手段（３５）には、前記被成形体（８）の画像を得るよう配置するテレビカメラ手段（３６）を含むこと、を特徴とする請求項５６に記載の装置。
【請求項５８】
前記検査手段（３５）には、前記被成形体（８）を照明し、前記テレビカメラ手段（３６）と協働するよう配置する照明手段（３７）を更にまた含むこと、を特徴とする請求項５７に記載の装置。
【請求項５９】
被成形体（８）を移動させるよう配置する移動手段と、前記被成形体（８）を熱的に調節するよう配置する熱調節手段（１３）とを含む装置であって、前記移動手段には、カルーセル手段（１１）と、前記カルーセル手段（１１）によって支持し、前記カルーセル手段（１１）に関して可動な搬送ユニット手段（１２；１０１）とを含み、前記熱調節手段（１３）を前記搬送ユニット手段（１２；１００）と関連させること、を特徴とする装置。
【請求項６０】
前記被成形体には、容器プリフォーム（８）を含むこと、を特徴とする請求項５９に記載の装置。
【請求項６１】
前記熱調節手段には、冷却装置（１３）を含むこと、を特徴とする請求項５９又は６０に記載の装置。
【請求項６２】
連続的に前記カルーセル手段（１１）を夫々の回転軸手段（Ｂ）周りに回転させるよう配置する駆動手段を、更にまた含むこと、を特徴とする請求項５９乃至６１の何れか１項に記載の装置。
【請求項６３】
前記カルーセル手段（１１）を夫々の回転軸手段（Ｂ）周りに角度的にインデックス回転させるよう配置する駆動手段を更にまた含むこと、を特徴とする請求項５９乃至６１の何れか１項に記載の装置。
【請求項６４】
前記搬送ユニット手段には、更なるカルーセル手段（１２）を含むこと、を特徴とする請求項５９乃至６３の何れか１項に記載の装置。
【請求項６５】
前記更なるカルーセル手段には、複数のカルーセル（１２）を含むこと、を特徴とする請求項６４に記載の装置。
【請求項６６】
前記カルーセル（１２）を、前記カルーセル手段（１１）の円周方向に配置すること、を特徴とする請求項６５に記載の装置。
【請求項６７】
前記カルーセル（１２）を、前記カルーセル手段（１１）の周縁ゾーンに配置すること、を特徴とする請求項６５又は６６に記載の装置。
【請求項６８】
前記カルーセル（１２）を、前記カルーセル手段（１１）に、略一定の角度間隔で配設すること、を特徴とする請求項６５乃至６７の何れか１項に記載の装置。
【請求項６９】
前記カルーセル（１２）を夫々の回転軸（Ｃ）周りに連続的に回転させるよう配置する更なる駆動手段を、更にまた含むこと、を特徴とする請求項６５乃至６８の何れか１項に記載の装置。
【請求項７０】
前記カルーセル（１２）を夫々の回転軸（Ｃ）周りに角度的にインデックス回転させるよう配置する更なる駆動手段を、更にまた含むこと、を特徴とする請求項６５乃至６８の何れか１項に記載の装置。
【請求項７１】
前記カルーセル（１２）を、前記カルーセル手段（１１）と略平行に配置すること、を特徴とする請求項６５乃至７０の何れか１項に記載の装置。
【請求項７２】
前記カルーセル（１２）を、前記カルーセル手段（１１）に関して横断方向に配置すること、を特徴とする請求項６５乃至７０の何れか１項に記載の装置。
【請求項７３】
前記カルーセル（１２）を、前記カルーセル手段（１１）に関して略半径方向に配置すること、を特徴とする請求項７２に記載の装置。
【請求項７４】
各前記カルーセル（１２）には、前記熱調節手段の複数の熱調節装置（１３）を含むこと、を特徴とする請求項６５乃至７３の何れか１項に記載の装置。
【請求項７５】
前記熱調節装置（１３）を、各前記カルーセル（１２）上で円周方向に配置すること、を特徴とする請求項７４に記載の装置。
【請求項７６】
前記熱調節装置（１３）を、各前記カルーセル（１２）の周縁ゾーンに配置すること、を特徴とする請求項７４又は７５に記載の装置。
【請求項７７】
前記熱調節装置（１３）を、前記カルーセル（１２）に、略一定の角度間隔で配設すること、を特徴とする請求項７４乃至７６の何れか１項に記載の装置。
【請求項７８】
前記搬送ユニット手段（１００）には、ループ状搬送ユニット（１０１）を含むこと、を特徴とする請求項５９乃至６３の何れか１項に記載の装置。
【請求項７９】
ループ状搬送ユニット手段には、複数のループ状搬送ユニット（１０１）を含むこと、を特徴とする請求項７８に記載の装置。
【請求項８０】
前記ループ状搬送ユニット（１０１）には、前記カルーセル手段（１１）に関して可動で、前記被成形体（８）を受容するよう配置するループ状可撓性要素（１０２）を含むこと、を特徴とする請求項７９に記載の装置。
【請求項８１】
前記ループ状搬送ユニット（１０１）を、前記カルーセル手段（１１）の円周方向に配置すること、を特徴とする請求項７９又は８０に記載の装置。
【請求項８２】
前記ループ状搬送ユニット（１０１）を、前記カルーセル手段（１１）に、略一定の角度間隔で配設すること、を特徴とする請求項７９乃至８１の何れか１項に記載の装置。
【請求項８３】
前記ループ状搬送ユニット（１０１）を連続的に駆動させるよう配置するなお更なる駆動手段を、更にまた含むこと、を特徴とする請求項７９乃至８２の何れか１項に記載の装置。
【請求項８４】
前記ループ状搬送ユニット（１０１）をインデックス回転させるよう配置するなお更なる駆動手段を更にまた含むこと、を特徴とする請求項７９乃至８２の何れか１項に記載の装置。
【請求項８５】
前記ループ状可撓性要素（１０２）は、前記カルーセル手段（１１）の周縁領域（１０５）と前記カルーセル手段（１１）の中心地域（１０６）との間に延在すること、を特徴とする請求項８０に記載の装置。
【請求項８６】
前記ループ状可撓性要素（１０２）は、前記カルーセル手段（１１）と略平行に延在すること、を特徴とする請求項８５に記載の装置。
【請求項８７】
前記ループ状可撓性要素（１０２）には、前記カルーセル手段（１１）に近い部分と、前記カルーセル手段（１１）から遠い部分とを含むこと、を特徴とする請求項８０、又は請求項８０に付属する請求項８１乃至８４の何れか１項に記載の装置。
【請求項８８】
前記ループ状可撓性要素（１０２）は、前記カルーセル手段（１１）に関して横断方向に延在すること、を特徴とする請求項８７に記載の装置。
【請求項８９】
前記ループ状可撓性要素（１０２）は、前記カルーセル手段（１１）に略垂直に延在すること、を特徴とする請求項８６に記載の装置。
【請求項９０】
前記ループ状搬送ユニット（１０１）には、前記熱調節手段の複数の熱調節装置（１３）を含むこと、を特徴とする請求項７９乃至８９の何れか１項に記載の装置。
【請求項９１】
前記熱調節装置（１３）を、前記ループ状搬送ユニット単位（１０１）に略一定間隔で配設すること、を特徴とする請求項９０に記載の装置。
【請求項９２】
前記熱調節手段には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項５９乃至９１の何れか１項に記載の装置。
【請求項９３】
前記空洞手段（４９）と前記長尺要素（５７）を、互いに近接離隔可動にすること、を特徴とする請求項９２に記載の装置。
【請求項９４】
熱調節用チャンバ手段（７８）を含み、該チャンバ手段内側でガイド手段（７９）を画定し、該ガイド手段に沿って前記被成形体（８）を、列を画定するようにして前進させる熱的に被成形体（８）を調節する装置であって、前記ガイド手段（７９）を、前記熱調節用チャンバ手段（７８）内側に備えたカルーセル手段（７７）内に獲得すること、を特徴とする熱的に被成形体（８）を調節する装置。
【請求項９５】
前記被成形体には、容器プリフォーム（８）を含むこと、を特徴とする請求項９４に記載の装置。
【請求項９６】
前記ガイド手段（７９）は、前記カルーセル手段（７７）の周縁ゾーン（８４）と前記カルーセル手段（７７）の中心ゾーン（８５）との間に延在すること、を特徴とする請求項９４又は９５に記載の装置。
【請求項９７】
前記ガイド手段（７９）を、前記カルーセル手段（７７）に関して略半径方向に配置すること、を特徴とする請求項９６に記載の装置。
【請求項９８】
前記被成形体（８）を前記ガイド手段（７９）に沿って移動させるよう配置する移動手段（８２）を更にまた含むこと、を特徴とする請求項９３乃至９７の何れか１項に記載の装置。
【請求項９９】
前記移動手段には、前記カルーセル手段（７９）に関して定位置に配置して、前記被成形体（８）と相互作用する転向手段（８２）を含むこと、を特徴とする請求項９８に記載の装置。
【請求項１００】
前記転向手段には、前記周縁ゾーン（８４）から前記中心ゾーン（８５）へと収束する経路に沿って延在するバッフル手段（８２）を含むこと、を特徴とする請求項９８を請求項９６又は９７に付属するものとして請求項９９に記載の装置。
【請求項１０１】
前記経路には、螺旋部分を含むこと、を特徴とする請求項１００に記載の装置。
【請求項１０２】
前記バッフル手段（８２）は、前記調節用チャンバ手段（７８）内側で、前記調節用チャンバ手段（７８）の範囲を画定する前記壁手段（８０）から突出すること、を特徴とする請求項１００又は１０１に記載の装置。
【請求項１０３】
前記壁（８０）を、前記カルーセル手段（７７）と略平行に配置すること、を特徴とする請求項１０２に記載の装置。
【請求項１０４】
前記被成形体（８）に流体流を向けるよう配置する分配ノズル手段（８１）を、更にまた含むこと、を特徴とする請求項９４乃至１０３の何れか１項に記載の装置。
【請求項１０５】
前記分配ノズル手段には、前記経路に沿って略配置する複数のノズル（８１）を含むこと、を特徴とする請求項１００乃至１０３の何れか１項に付属する請求項１０４に記載の装置。
【請求項１０６】
前記分配ノズル手段（８１）を前記壁手段（８０）と関連させること、を特徴とする請求項１０４を請求項１０２又は１０３に付属するものとして請求項１０４又は１０５に記載の装置。
【請求項１０７】
前記分配ノズル手段  （８１）は、前記調節用チャンバ手段（７８）内側で、前記壁手段から、前記流体流を前記被成形体（８）の内側部分に向けるようにして、突出すること、を特徴とする請求項１０６に記載の装置。
【請求項１０８】
更なる流体流を前記調節用チャンバ手段（７８）に搬送するよう配置する搬送手段（８８）を更にまた含むこと、を特徴とする請求項９４乃至１０７の何れか１項に記載の装置。
【請求項１０９】
前記搬送手段（８８）は前記調節用チャンバ手段（７８）に前記周縁ゾーン（８４）で繋がること、を特徴とする請求項９６に付属する請求項１０８に記載の、又は請求項９６に付属する請求項９７乃至１０８の何れか１項に記載の装置。
【請求項１１０】
調節用流体手段を前記調節用チャンバ手段（７８）から、前記調節用流体手段が前記被成形体（８）と相互作用した後、取出すよう配置する取出手段を、更にまた含むこと、を特徴とする請求項９４乃至１０９の何れか１項に記載の装置。
【請求項１１１】
前記取出手段には、前記壁手段（８０）に獲得する取出用開口手段と関連する吸引手段を含むこと、を特徴とする請求項１０２又は１０３に付属する請求項１１０に記載の、又は請求項１０２又は１０３に付属する請求項１０４乃至１０９の何れか１項に記載の装置。
【請求項１１２】
前記取出用開口手段には、複数の穴を含むこと、を特徴とする請求項１１１に記載の装置。
【請求項１１３】
端部（５１）及び前記端部（５１）の反対側に更なる端部（５４）を含み、該更なる端部（５４）に開口部（５９）を獲得する被成形体（８）を、熱的に調節する装置には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする被成形体を熱的に調節する装置。
【請求項１１４】
前記被成形体には、容器プリフォーム（８）を含むこと、を特徴とする請求項１１３に記載の装置。
【請求項１１５】
前記空洞手段（４９）と前記長尺要素（５７）を、互いに近接離隔可動にすること、を特徴とする請求項１１３又は１１４に記載の装置。
【請求項１１６】
前記空洞手段（４９）及び前記長尺要素（５７）を支持するカルーセル手段（１１）を更にまた含むこと、を特徴とする請求項１１３乃至１１５の何れか１項に記載の装置。
【請求項１１７】
前記空洞手段には複数の空洞（４９）を含み、前記長尺要素手段には複数の長尺要素（５７）を含み、前記複数の空洞の各空洞（４９）は、前記複数の長尺要素の１長尺要素と協働して、熱調節ユニット（１３）を定義すること、を特徴とする請求項１１３乃至１１６の何れか１項に記載の装置。
【請求項１１８】
前記カルーセル（１１）によって回転可能に支持する複数のカルーセル（１２）を更にまた含み、複数の前記熱調節ユニット（１３）を前記複数のカルーセルの各カルーセル（１２）と関連させること、を特徴とする請求項１１６に付属する請求項１１７に記載の装置。
【請求項１１９】
前記調節用流体流及び前記更なる調節用流体流には、冷却用流体手段を含むこと、を特徴とする請求項１１３乃至１１８の何れか１項に記載の装置。
【請求項１２０】
前記冷却用流体手段には加圧空気を含むこと、を特徴とする請求項１１９に記載の装置。
【請求項１２１】
被成形体（８）を移動させるよう配置するカルーセル手段（１１）と、前記カルーセル手段（１１）と関連させ、前記被成形体（８）と相互作用させることを目的とする調節用流体を搬送するよう配置する搬送手段（６２）とを含むこと、を特徴とする熱的に被成形体（８）を調節する装置。
【請求項１２２】
前記被成形体には、容器プリフォーム（８）を含むこと、を特徴とする請求項１２１に記載の装置。
【請求項１２３】
前記搬送手段（６２）には、前記流体を前記被成形体（８）に方向付けるよう配置する分配手段（６５；６６；７０；７１）を含むこと、を特徴とする請求項１２２に記載の装置。
【請求項１２４】
前記搬送手段（６２）には、前記流体を前記被成形体（８）から吸引するよう配置する取出手段を含むこと、を特徴とする請求項１２１乃至１２３の何れか１項に記載の装置。
【請求項１２５】
前記搬送手段（６２）には、前記調節用流体を熱的に調節するよう配置する熱交換手段（６７；７２）を含むこと、を特徴とする請求項１２１乃至１２４の何れか１項に記載の装置。
【請求項１２６】
前記搬送手段（６２）には、前記カルーセル手段（１１）の軸端部に配置する搬送装置（６３）を含むこと、を特徴とする請求項１２１乃至１２５の何れか１項に記載の装置。
【請求項１２７】
前記搬送手段（６２）には、前記カルーセル手段（１１）の更なる軸端部に配置する更なる搬送装置（６４）を含むこと、を特徴とする請求項１２６に記載の装置。
【請求項１２８】
前記搬送手段（６２）には、前記カルーセル手段（１１）に関して定位置に配置して前記流体を受容する中空ケーシング手段（６８；７３）を含むこと、を特徴とする請求項１２１乃至１２７の何れか１項に記載の装置。
【請求項１２９】
前記搬送手段（６２）には、前記カルーセル手段（１１）に固定し、前記中空ケーシング手段（６８；７３）に連結する回転収集手段（６９；７４）を含むこと、を特徴とする請求項１２８に記載の装置。
【請求項１３０】
前記回転収集手段（６９；７４）には、前記カルーセル手段（１１）の異なるゾーンと連結する複数の開口部（１１８；１２６）を含むこと、を特徴とする請求項１２９に記載の装置。
【請求項１３１】
前記カルーセル手段（１１）によって回転可能に支持する複数のカルーセル（１２）を更にまた含み、熱調節装置（１３）を前記カルーセル（１２）と関連させること、を特徴とする請求項１２１乃至１３０の何れか１項に記載の装置。
【請求項１３２】
各前記開口部（１１８；１２６）を、前記複数のカルーセルの対応するカルーセル（１２）と関連させ、前記カルーセル（１２）に備えた一群の前記熱調節装置（１３）と連結すること、を特徴とする請求項１３０に付属する請求項１３１に記載の装置。
【請求項１３３】
前記熱調節装置（１３）には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項１３１又は１３２に記載の装置。
【請求項１３４】
前記供給手段（９７）に、前記搬送装置（６３）により供給し、前記長尺要素手段（５７）に、前記更なる搬送装置（６４）により供給すること、を特徴とする請求項１２７に付属する請求項１３３に記載の、又は請求項１２７に付属する請求項１２８乃至１３３に記載の装置。
【請求項１３５】
所定量のペースト状プラスチックを供給するよう配置する押出手段（２）と、前記所定量を圧縮成形して被成形体（８）を得るよう配置する成形手段（６）を備える成形用カルーセル手段（７）と、前記被成形体を冷却するよう配置する熱調節装置（９）とを含む装置であって、該装置には、前記被成形体（８）を前記熱調節装置（９）から取出すよう配置する抜出用カルーセル手段（３３）を更にまた含み、前記被成形体（８）を点検するよう配置する検査手段（３５）を、前記抜出用カルーセル手段（３３）と関連させること、を特徴とする装置。
【請求項１３６】
前記被成形体には、容器プリフォーム（８）を含むこと、を特徴とする請求項１３５に記載の装置。
【請求項１３７】
前記検査手段（３５）には、前記被成形体（８）の画像を得るよう配置するテレビカメラ手段（３６）を含むこと、を特徴とする請求項１３５又は１３６に記載の装置。
【請求項１３８】
前記検査手段（３５）には、前記被成形体（８）を照明するよう配置し、前記テレビカメラ手段（３６）と協働する照明手段（３７）を、更にまた含むこと、を特徴とする請求項１３７に記載の装置。
【発明の詳細な説明】
【技術分野】
【０００１】
本発明は、被成形体、特にプラスチック製の被成形体を成形及び熱調節する装置に関する。
【背景技術】
【０００２】
回転軸周りに回転可能で、角度的に等距離になるよう配置した複数の成形型を周縁部に設けたカルーセルを含む、プラスチック製の被成形体を成形する装置が知られている。
【０００３】
各成形型には、カルーセルの回転軸と平行に、互いに近接離隔可動なダイとパンチとを含む。
【０００４】
各ダイには所定量のペースト状プラスチックを導入する空洞部を備えており、該空洞部を夫々のパンチによって圧縮する。
【０００５】
所定量のプラスチックを成形型内側に導入すると直ぐに、成形型を閉じて被成形体を成形する。
【０００６】
この成形型を、一定期間、被成形体の形状が安定するよう、カルーセルを回転させながら、閉じたままにする。
【０００７】
成形した被成形体を、成形型から抜出した後に、搬送ベルトに移送し、該ベルトにより成形した被成形体を熱的に調節する環境を通して移動させるが、該環境で成形した被成形体を更に冷却する。
【０００８】
十分に冷却するために、それでもなお、熱的に調節する環境で相互作用させる期間を設ける必要があり、この期間は長めで、従って搬送ベルトは相当な長さとなる。
【発明の開示】
【０００９】
本発明の目的は、プラスチックを圧縮成形して被成形体を作製する装置を改良することである。
【００１０】
本発明の別の目的は、被成形体を熱調節する装置を改良することである。
【００１１】
更なる目的は、限定した全体寸法を有する、被成形体を熱調節する装置を獲得することである。
【００１２】
なお更なる目的は、高い生産性を有する、被成形体を熱調節する装置を獲得することである。
【００１３】
本発明の第１態様では、所定量のペースト状プラスチックを供給するよう配置する押出手段と、上記所定量を圧縮成形して被成形体を得るよう配置する成形手段を備える成形用カルーセル手段と、上記被成形体を熱的に調節するよう配置する熱調節装置とを含む装置であって、上記熱調節装置には熱調節用カルーセル手段を含むこと、を特徴とする装置を提供する。
【００１４】
本発明のこの態様により、熱調節用カルーセルが極めて小型となるため、かなり限定した全体寸法を有する装置を獲得できる。
【００１５】
更にまた、熱調節用カルーセルには、従来技術による熱調節装置の搬送ベルトと比較して、一層の剛性を有する。
【００１６】
これによりクリアランスを、可撓性搬送要素の場合と比較して、制限可能となる。
【００１７】
成形用カルーセルを、従って、極めて単純で正確な方法で調節用カルーセルと同期させられるが、これは熱調節装置に搬送ベルトを備える場合での状況とは異なる。
【００１８】
本発明の第２態様では、被成形体を移動させるよう配置する移動手段と、上記被成形体を熱的に調節するよう配置する熱調節手段とを含む装置であって、上記移動手段には、カルーセル手段と、上記カルーセル手段によって支持し、上記カルーセル手段に関して可動な搬送ユニット手段とを含み、上記熱調節手段を上記搬送ユニット手段と関連させること、を特徴とする装置を提供する。
【００１９】
本発明のこの態様により、小さい全体寸法に対して、高い生産性を有する装置を獲得できる。本装置により、実際に、複数の被成形体を、大径を有する回転可能なカルーセルを提供する必要無く、処理できる。
【００２０】
これにより、本装置を設置するのに必要な空間を、制限可能になる。
【００２１】
本発明のこの態様により、更にまた、被成形体を回転可能なカルーセル上に、相当な時間、例えば、十分に冷却する時間を、カルーセルの回転速度を緩め、それが原因で本装置の生産性を限定すること無く、維持可能になる。
【００２２】
本発明の第３態様では、端部及び上記端部の反対側に更なる端部を含み、該更なる端部に開口部を獲得する被成形体を、熱的に調節する装置を提供するが、該装置には、上記被成形体を受容するよう配置する空洞手段であって、これを該空洞手段と上記被成形体の外面との間でチャンバ手段を画定するようにして行う上記空洞手段と、上記端部まで調節用流体流を方向付けるよう配置する供給手段と、上記開口部から上記被成形体内に受容されるよう配置する長尺要素であって、これを該長尺要素と上記被成形体の内面との間で、更なるチャンバを画定するようにして行い、更なる調節用流体流を上記端部に方向付けるよう配置する上記長尺要素とを含む。
【００２３】
本発明のこの態様により、被成形体を、その被成形体の外部から及び内部から同時に作用させて、熱的に調節、例えば、冷却する。
【００２４】
この場合、調節用流体流及び更なる調節用流体流は、まず前述した端部-該端部は被成形体の最高温ゾーンを構成する可能性がある-と相互作用し、次に調節用流体流及び更なる調節用流体流により、被成形体の外面及び内面を夫々伝い、その結果該外面及び内面を効果的に冷却する。
【００２５】
本発明の第４態様では、熱的に被成形体を調節する装置を提供するが、該装置は、調節用チャンバ手段を含み、該チャンバ手段内側でガイド手段を画定し、該ガイド手段に沿って上記被成形体を、列を画定するようにして前進させ、上記ガイド手段を、上記熱調節用チャンバ手段内側に備えたカルーセル手段内に獲得すること、を特徴とする。
【００２６】
本発明のこの態様により、限定した全体寸法を備える、被成形体を熱的に調節する装置を、従来技術の装置での状況とは異なり、被成形体を前進させる略直線の長いチャンネルを提供する必要無く、被成形体を熱的に調節しつつ、獲得できる。
【００２７】
更にまた、ガイド手段は、カルーセル手段の周縁ゾーンとカルーセル手段の中心ゾーンとの間で延在させてもよいため、カルーセル手段の範囲の相当部分を使用して被成形体を受容し、それにより、高い生産性を小さな全体寸法に対して、達成可能である。
【００２８】
本発明の第５態様では、被成形体を熱調節するために装置を提供するが、該装置には、  被成形体を移動させるよう配置するカルーセル手段と、上記カルーセル手段と関連させ、上記被成形体と相互作用させることを目的とする調節用流体を搬送するよう配置する搬送手段とを含む。
【００２９】
本発明のこの態様により、高効率で限定した全体寸法を有する、被成形体を熱的に調節する装置を獲得できる。
【００３０】
カルーセル手段は、実際に、従来技術の搬送ベルトより大幅に短くありながら、同時に熱的に調節する相当数の被成形体を受容可能である。
【００３１】
加えて、搬送手段により、被成形体に流体流を方向付け-又は、被成形体から流体流を吸引し-、その結果被成形体の温度に関する激しく高速な変化を引き起こせる。
【００３２】
本発明の第６態様では、所定量のペースト状プラスチックを供給するよう配置する押出手段と、上記所定量を圧縮成形して被成形体を得るよう配置する成形手段を備える成形用カルーセル手段と、上記被成形体を冷却するよう配置する熱調節装置とを含む装置であって、該装置には、上記被成形体を上記熱調節装置から取出すよう配置する抜出用カルーセル手段を更にまた含み、上記被成形体を点検するよう配置する検査手段を、上記抜出用カルーセル手段と関連させること、を特徴とする装置を、提供する。
【００３３】
本発明のこの態様により、本装置の生産性を損なうこと無く、本装置が作製する全被成形体について、制御運転を実施可能な装置を獲得できる。
【００３４】
検査手段を抜出用カルーセルと関連させるので、被成形体の点検を、被成形体を抜出用カルーセルから移動させながら、前述した点検のために、本装置のサイクル時間に加算する点検専用の時間を設けて、それが原因で該サイクル時間を延長する必要無く、実施できる。
【発明を実施するための最良の形態】
【００３５】
本発明について、幾つかの実証用の、非制限的なその実施例を示す、添付図面を参照して、一層良く理解され、実施されるであろう。
【００３６】
図１を参照すると、プラスチックを成形する装置１について示しており、ペースト状プラスチックを分配するよう配置する押出機２及び前述したプラスチックを複数の所定量に分割する切断装置３を含む。
【００３７】
この装置１には更にまた、成形用カルーセル７の周囲に設けた成形型６へ所定量を移送する供給用カルーセル５を含む。
【００３８】
成形型６で該所定量を成形して、被成形体、例えば容器プリフォーム８を獲得する（図２及び図１６）。
【００３９】
この装置には更にまた、プリフォーム８を熱的に調節する、特に冷却する熱調節用カルーセル９を含む。
【００４０】
図２を参照すると、熱調節用カルーセル９には、回転軸Ｂ周りに回転方向Ｑに回転可能な主カルーセル１１を含み、該主カルーセル１１に関して可動な複数の搬送ユニット１００を備える。
【００４１】
搬送ユニット１００には、複数の更なるカルーセル１２を含み、各更なるカルーセル１２を、更なる回転方向Ｐで回転軸Ｂに略平行に配置した更なる回転軸Ｃ周りに回転可能にしてもよい。図示しない実施例では、更なるカルーセル１２を主カルーセル１１に対して半径方向に配設できる。
【００４２】
この場合、更なる回転軸Ｃを、主カルーセル１１に略平行に配置し、更なるカルーセル１２を主カルーセル１１の直径面に沿って配置する。
【００４３】
このように、横寸法より大幅に短い縦寸法を備える更なるカルーセル１２を提供する、即ち、更なるカルーセル１２の厚さを直径より薄くすることで、極めて多数の更なるカルーセル１２を主カルーセル１１に設置でき、主カルーセル１１が、同寸法で、更なるカルーセルが回転軸Ｂと略平行な更なる回転軸Ｃを有する更なるカルーセルの場合と比較して、かなり多数のプリフォーム８を受容可能になる。
【００４４】
図示しない別の実施例では、更なるカルーセル１２を、夫々の更なる回転軸Ｃを主カルーセル１１に対して略半径方向に配設するようにして配置してもよい。
【００４５】
図３乃至図９で示すように、搬送ユニット１００には、更なるカルーセル１２の代わりに、
ループ状搬送ユニット１０１を含んでもよく、各該ユニット１０１には、例えばベルト又はチェーンといったループ状の可撓性要素１０２を、第１転動要素１０３と第２転動要素１０４との間で、その片方を電動にし、緊張させた状態にして、これを備える。
【００４６】
或は、２つ以上の転動要素を備えることもできる。
【００４７】
第１転動要素１０３を第１回転軸手段Ｘ周りで回転可能にする一方で、第２転動要素１０４を第２回転軸手段Ｙ周りで回転可能にする。
【００４８】
図３を参照すると、ループ状可撓性要素１０２を、第１回転軸手段Ｘ及び第２回転軸手段Ｙを回転軸Ｂと略平行に配置するようにして配設している。
【００４９】
第１転動要素１０３を主カルーセル１１の周縁ゾーン１０５付近に配置する一方、第２転動要素１０４を主カルーセル１１の中心ゾーン１０６付近に配置し、第１回転軸手段Ｘ及び第２回転軸手段Ｙを、主カルーセル１１の直径面を画定するようにして配設する。
【００５０】
図４及び図５を参照すると、ループ状可撓性要素１０２を、主カルーセル１１の直径面を画定するようにして配設する。
【００５１】
第１転動要素１０３を主カルーセル１１の周縁ゾーン１０５付近に配置する一方で、第２転動要素１０４を主カルーセル１１の中心ゾーン１０６付近に配置し、第１回転軸手段Ｘ及び第２回転軸手段Ｙを、主カルーセル１１と略平行な平面を画定するようにして配設する。
【００５２】
図３及び図４と図５で示した実施例では、ループ状可撓性要素１０２を、ループ状可撓性要素１０２がプリフォーム８を受容する周縁ゾーン１０５と中心ゾーン１０６との間に延在させるので、熱調節用カルーセル９の極めて高い生産性を、主カルーセル１１の内部にまでもプリフォーム８を配設できるため、獲得できる。
【００５３】
このように、熱調節用カルーセル９が、限られた寸法だとしても、多数のプリフォーム８を受容可能である。
【００５４】
図６及び図７を参照すると、熱調節用カルーセル９に関する１実施例を示しており、そこでは各ループ状搬送ユニット１０１の第１転動要素１０３及び第２転動要素１０４両方を、周縁ゾーン１０５付近に配設し、第２転動要素１０４を第１転動要素１０３と一直線上に整列させ、重ねている。
【００５５】
ループ状可撓性要素１０２を、第１支流１０７を周縁ゾーン１０５に対面させ、第２支流１０８を中心ゾーン１０６に対面させるようにして配設する。
【００５６】
図８及び図９を参照すると、熱調節用カルーセル９に関する１実施例を示すが、そこでは各ループ状搬送ユニット１０１の第１転動要素１０３及び第２転動要素１０４両方を、周縁ゾーン１０５付近に配設し、第２転動要素１０４を第１転動要素１０３と一直線上に整列させ、重ねている。
【００５７】
第１回転軸手段Ｘ及び第２回転軸手段Ｙを、主カルーセル１１に関して略半径方向に配置し、それにより主カルーセル１１の直径面を画定する。
【００５８】
図６と図７及び図８と図９で示す実施例では、熱調節用カルーセル９を、回転軸Ｂと略平行な方向に大幅に延伸可能になる。
【００５９】
これらの熱調節用カルーセルにより、極めて少ない面寸法を維持しながら、複数のプリフォームを処理する可能性がある。
【００６０】
これらの熱調節用カルーセルは、結果的に、相当な面的広がりを有しないため、極めて慎重な内部空間の利用を必要とする環境下で設置するのに特に適当である。
【００６１】
熱調節用カルーセル９を角度的にインデックス回転、又は連続的に回転できる。
【００６２】
同様に、また、各更なるカルーセル１２も角度的にインデックス回転、又は連続的に回転できる。
【００６３】
各更なるカルーセル１２には更にまた、周囲に複数の冷却装置１３、例えば互いから角度的に等距離にある装置を、備える。
【００６４】
注目すべきは、同数の冷却装置１３に対して、熱調節用カルーセル９の寸法が、熱調節装置１３を主カルーセル１１の周縁領域で直接回転可能に支持した場合の熱調節用カルーセル９が有する寸法と比較して、大幅に少ない点である。
【００６５】
更なるカルーセル１２に関して上記で開示した内容と同様に、各ループ状搬送ユニット１０１を、インデックス回転又は連続的に回転できる。
【００６６】
更にまた、各ループ状搬送ユニット１０１には、例えば互いから等距離に配置する複数の冷却装置１３、を周縁部に備えられる。
【００６７】
図１０で示すように、この装置１には更にまた、プリフォーム８を成形用カルーセル７から取出して、プリフォーム８を熱調節用カルーセル９に置く移送カルーセル１０を備えられる。
【００６８】
移送用カルーセル１０を、なお更なる回転軸Ｒの周りに、なお更なる回転方向Ｓで、回転方向Ｑと反対に、回転可能にする。
【００６９】
移送用カルーセル１０には、複数のアーム要素１４を備えており、該アーム要素をプリフォームを取出す及び放出するよう配置するが、該アーム要素は移送カルーセル１０に結合して回転し、なお更なる回転軸Ｒに関して半径方向に動作できる。
【００７０】
各アーム要素１４には、溝１６内側で摺動するよう形成したガイド要素１５を含み、該溝１６を、カムプロフィール状の形状とし、更なる回転軸Ｒ周りに延在させるが、なお更なる回転軸Ｒに接近させて成形用カルーセル７に近付け、なお更なる回転軸Ｒから離隔して熱調節用カルーセル９に近付けるようにして、これを行う。これにより、アーム要素１４が位置に応じて可変する接線速度を備えられ、該接線速度は熱調節用カルーセル９近くで一層速くなる。
【００７１】
各アーム要素１４には、なお更なる回転軸Ｒから遠方の端部に、ハンドリングユニットを回転可能にアーム要素１４に支持させて備えてもよく、このハンドリングユニットでプリフォーム８を成形用カルーセル７から取出し、プリフォーム８を熱調節用カルーセルに供給する。
【００７２】
制御手段を更にまた備えて、対応するアーム要素１４に関して、各ハンドリングユニットの回転を制御できる。
【００７３】
主カルーセル１１が１回転する間に、プリフォーム８を各更なるカルーセル１２の冷却装置１３に置く。
【００７４】
互いに隣接するアーム要素１４が支持するプリフォーム８を、互いに隣接する更なるカルーセル１２に関連させた冷却装置１３内側に配設する。
【００７５】
続いて、各更なるカルーセル１２を、冷却装置１３がその内側にプリフォームがない状態で、移送用カルーセル１０と対向するようにして、回転させる。
【００７６】
次なる主カルーセル１１の回転中に、更なるプリフォーム８を、各更なるカルーセル１２の更なる冷却装置１３に置く。
【００７７】
各上記更なるプリフォームを、主カルーセル１１の前回の回転中に上記プリフォーム８の１つを既に受容している冷却装置１３と隣接する冷却装置１３で、受容する。
【００７８】
こうした操作を、全ての冷却装置１３にプリフォーム８が供給されるまで、繰返す。
【００７９】
この時点で、プリフォームを更なるカルーセル１２の冷却装置１３から取出して、なお更なるプリフォーム８を上記冷却装置１３に挿入可能である。
【００８０】
特に、更なるカルーセル１２を角度的にインデッックス回転させた場合、各更なるカルーセル１２は主カルーセル１１の回転毎に角度ステップと等しく回転する。
【００８１】
有利には、各更なるカルーセル１２で、更なるカルーセル１２が移送用カルーセル１０に接近する際に、少なくとも部分的に上記回転を行う。
【００８２】
このように、更なるカルーセル１２の更なる回転方向Ｐを主カルーセルの回転方向Ｑと反対にするため、各アーム要素１４が夫々の冷却装置１３と相互作用可能な時間を増大でき、それにより、プリフォーム８を熱調節用カルーセルに一層容易に供給可能となる。
【００８３】
プリフォーム８を夫々の冷却装置１３内側に、各更なるカルーセル１２に備えた冷却装置１３の数と同じ主カルーセル１１の回転数だけ、維持することが見て取れる。
【００８４】
図１１乃至図１４を参照すると、移送用カルーセル１０の１実施例について示しており、該移送用カルーセル１０には、各アーム要素１４を摺動自在に支持するターンテーブル１７を含む。
【００８５】
アーム要素１４を、ターンテーブル１７に関して半径方向に配置し、複数のアーム要素をその中心部分で互いに重ねる。
【００８６】
各アーム要素１４には、ターンテーブル１７に獲得する適当な座の内側で摺動可能な一対のロッド１８を含む。
【００８７】
ロッド各対の反対側で、相互にロッド１８を連結させるよう配置する支持ブロック１９、及びプリフォーム８を移動させるよう配置するハンドリングユニット２０を備える。
【００８８】
ロッド１８を略円柱形状とし、該ロッド１８には少なくとも、ターンテーブル１７の座の１つで摺動可能な摺動結合部分を含む。
【００８９】
ロッド１８は、その中心部分及び端部ゾーンに、削り部２１を有するが、該削り部により、移送用カルーセル１０の所要空間を、なお更なる回転軸Ｒと平行に、アーム要素を互いに重ねて配置する場合に、限定可能になる。
【００９０】
換言すると、中心部分及び端部ゾーンでは、上記結合部分より少ない横断寸法を有する。
【００９１】
各アーム要素１４には、２つのハンドリングユニット２０をロッド１８の両端部と関連させてこれらを備える。このように、各アーム要素１４によって  ２つのプリフォーム８を、以下で開示する方法で、移動できる。
【００９２】
各ハンドリングユニット２０には、プリフォーム８を受容するよう配置する小空洞部２３を備える取出要素２２を含む。
【００９３】
取出要素２２を、夫々の支持ブロック１９上で回転可能に支持するレバー２４に連結する。
【００９４】
レバー２４を、例えばＬ字型とし、支持ブロック１９にヒンジ結合する中心部分２５と、取出要素２２を関連させる第１端部２６と、転動要素２８を回転可能に、該転動要素２８をターンテーブル１７上方に配置した移送用カルーセル１０の固定プレート３０に獲得したカムプロフィール２９と係合するよう配置して、これを支持する第２端部２７とを含む。
【００９５】
転動要素２８は、カムプロフィール２９と協働し、対応する支持ブロック１９に関する取出要素２２の振動を制御する。
【００９６】
各アーム要素１４について、更なる転動要素３１を更にまた、固定プレート３０に獲得した更なるカムプロフィール３２に係合するよう配置して、これを回転可能に支持する。更なる転動要素３１を、更なるカムプロフィール３２と協働させることで、ターンテーブル１７に関して取出要素２２の摺動を制御する。
【００９７】
運転時には、ターンテーブル１７を回転させながら、各取出要素２２によりプリフォームを成形用カルーセル７から取出し、プリフォームを熱調節用カルーセル９に供給する。
【００９８】
図２で示すように、成形用カルーセル７上の隣接する成形型を、距離ｄ１だけ分離するが、ｄ１を、第１更なるカルーセル１２と関連する第１冷却装置１３と、第１更なるカルーセル１２と隣接する第２更なるカルーセル１２と関連する第２冷却装置１３とを分離する更なる距離ｄ２より短くする。
【００９９】
更なる転動要素３１は、更なるカムプロフィール３２と係合し、強制的にロッド１８を回転プレート１７に関して摺動させる。このように、プリフォーム８を予め設定した取出ステップに従い成形用カルーセル７から取出し、プリフォーム８を熱調節用カルーセル９の更なるカルーセル１２に、取出ステップとは異なる予め設定した供給ステップに従い、移送できる。
【０１００】
転動要素２８は、カムプロフィール２９と係合するが、強制的に取出要素２２を夫々の支持ブロック１９に関して振動させる；これにより、プリフォーム８の熱調節用カルーセル９への供給運転を、単純化できる。
【０１０１】
更なるカムプロフィール２９を実際には、各取出要素２２を夫々の転動要素２８によって制御し、該取出要素２２が、更なるカルーセル１２上に設置した冷却装置１３がそれに沿って移動する更なる軌道と略一致する部分の軌道に沿って移動するようにして、形成する。
【０１０２】
同様に、取出要素２２がそれに沿って移動する軌道の更なる部分は、成形用カルーセル７に設置した成形型６がそれに沿って移動するなお更なる軌道と略一致する。
【０１０３】
転動要素２８及びカムプロフィール２９により、プリフォーム８を熱調節用カルーセル９に供給できる時間を、取出要素２２を、夫々の軌道が接線方向になる際だけ冷却装置１３と相互作用するよう形成する場合と比較して、より多く獲得可能になる。
【０１０４】
同じ理由で、プリフォームを成形用カルーセル７から取出す期間を増大できる。
【０１０５】
図１、図２及び図１５で示すように、この装置には更にまた、カルーセル５からプリフォーム２８を取出し、プリフォームを搬送装置１６０に供給する複数の取出アーム３４を備える取出用カルーセル３３を含む。
【０１０６】
プリフォーム８を点検するために配置する検査手段３５を、プリフォームを取出用カルーセル３３から移動する間、如何なる欠陥をも検出するために、取出用カルーセル３３と関連させる。
【０１０７】
検査手段には、照明手段３７及び照明手段３７と協働するテレビカメラ手段３６を含む。
【０１０８】
取出用カルーセル３３が回転する間、各プリフォーム８を、夫々の取出アーム３４で支持し、照明手段３７とテレビカメラ手段３６との間に、該テレビカメラ手段３６により検出手段３５に備えた電子処理ユニットで点検するプリフォーム８の画像を検出できるように、挿入する。テレビカメラ手段３６には第１テレビ-カメラ３８を含み、該テレビ-カメラを取出用カルーセル３３上方に配設し、プリフォームの首ゾーンに関して流通している可能性がある如何なる欠陥でも検出するよう配置する。
【０１０９】
テレビカメラ手段３６には更にまた第２テレビカメラ３９を含み、該第２テレビカメラ３９もまた取出用カルーセル３３上方に配設し、プリフォームの底ゾーンに関して流通している可能性がある如何なる欠陥でも検出するよう配置する。加えて、テレビカメラ手段３６には、一群のテレビカメラ４０、及び、プリフォーム８の中間部分を点検するよう配置したテレビカメラ４１の更なる一群を備える。
【０１１０】
テレビカメラ４０群には第３テレビカメラ４２、第４テレビカメラ４３及び第５テレビカメラ４４を、プリフォーム８の側面の異なる部分について映像枠に入れ、例えば汚れ、ほこり、気泡、異物、結晶体、不要な着色等の欠陥を検出するよう配置して、これらを含む。テレビカメラ４０群により、質的に適当なプリフォームの場合に関して、光吸収のばらつきの原因となる欠陥を有するプリフォームを識別する。
【０１１１】
或は、光の反射又は屈折を検出することで作動する装置を備えられる。
【０１１２】
テレビカメラ４１の更なる群には、第６テレビカメラ４５及び第７テレビカメラ４６を含み、両カメラを、プリフォーム８の側面の異なる部分を映像枠に入れて、異常な光吸収を起していないプリフォームについて材料の収縮又は表面の変形を検出するようにして配置する。
【０１１３】
検査手段３５が直接取出用カルーセル３３と関連しているため、本装置１の効率を損なうことなく生産する全プリフォーム８をチェックできる。
【０１１４】
既知の装置では、一方で、プリフォームを、形成後、保管用コンテナに蓄積し、上記コンテナから取出して、搬送装置に供給し、予め設定した構成に配設後、検査装置で点検可能にする必要がある。
【０１１５】
そうした検査運転は、従ってかなりの実行期間を必要とし、生産サイクルを受入れ難い方法で不利にしないために生産サイクル中には実行できない。
【０１１６】
対照的に、本発明による装置では、検査運転を、サイクル時間を延長することなく実行できる。
【０１１７】
図１６及び図１７を参照すると、冷却装置１３を支持する更なるカルーセル１２について示している。
【０１１８】
図１６及び図１７では、参照を容易にするために、実際に更なるカルーセル１２に設置した複数の冷却装置１３の内１つの冷却装置１３だけを示している。
【０１１９】
冷却装置１３には支持要素４５を含み、プリフォーム８を支持するよう該要素４５を形成する。
【０１２０】
冷却装置１３には更にまた管状要素４６を含み、プリフォーム８を管状要素４６内側に受容する。
【０１２１】
管状要素４６内側で、プリフォーム８を流体流によって冷却する。
【０１２２】
或は、プリフォームを管状要素４６と接触させた状態に置き、管状要素４６内に確保した導管を通して流体を再循環させて冷却できる。
【０１２３】
冷却装置１３には更にまた、プリフォームに更なる流体流を導くよう配置する長尺要素４７を含む。
【０１２４】
或は、冷却を、流体の吸引によって、又は長尺要素４７の表面と接触させてこれを行うが、この長尺要素４７を、液体をその中に確保した導管に循環させて内部で冷却することもできる。
【０１２５】
管状要素４６と長尺要素４７を、方向Ｖに互いに近接離隔に、プリフォーム８を冷却装置１３に配設可能にすると共に、プリフォーム８が冷却済みになると、冷却装置から取出可能なようにして、可動にする。
【０１２６】
特に、冷却装置１３では、図１７で示す開放構成Ｈであって、管状要素４６と長尺要素４７とを互いから一定距離離隔させて、プリフォーム８を冷却装置１３から取出せる、又は冷却装置１３に供給できる開放構成Ｈと、図１６及び図１８でＫで表示する閉鎖構成であって、長尺要素４７を部分的に管状要素４６内側に受容する閉鎖構成とを取れる。
【０１２７】
管状要素４６をスライダ９１で支持するが、該スライダを、カルーセル１２を回転させるよう配置したシャフト９３と略平行に配置したガイド柱９２上で摺動可能にする。
【０１２８】
同様に、長尺要素４７をガイド柱９２上で摺動可能な更なるスライダ９４で支持する。
【０１２９】
スライダ９１及び更なるスライダ９４をガイド柱９２に沿って、任意の既知の装置、例えば油圧作動手段、空気圧作動手段、カム作動手段、電気機械的作動手段等により、摺動できる。
【０１３０】
スライダ９１に作用するばね９５及び更なるスライダ９４に作用する更なるばね９６により、互いから長尺要素４７及び管状要素４６を、冷却装置１３を開放構成Ｈにして、取出し易くするが、これらばねをガイド柱９２に関連させる。
【０１３１】
冷却装置１３には更にまた、管状要素４６に流体流を搬送するよう配置するパイプ手段９７と、長尺要素４７に更なる流体流を搬送するよう配置する更なるパイプ手段９８とを含む。
【０１３２】
パイプ手段９７及び更なるパイプ手段９８を、夫々プレート手段１０９に、及びシャフト９３の反対側端部ゾーンに連結する更なるプレート手段１１０に取付ける。
【０１３３】
プレート手段１０９には、パイプ手段９７が通過する孔手段１１１を備え、パイプ手段９７に装置により、以下に説明する方法で、流体流を供給する。
【０１３４】
同様に、更なるプレート手段１１０には、更なるパイプ９８が通過する更なる孔手段１１２を備え、更なるパイプ手段９８に装置により、以下に説明する方法で、更なる流体流を供給する。
【０１３５】
スライダ９１内側で、パイプ手段９７を受けるよう配置した座１１３を、スライダ９１をパイプ手段９７上で摺動可能にして、獲得する。
【０１３６】
座１１３を、パイプ手段９７を管状要素４６に閉鎖構成Ｋで連結するようにして、形成する。
【０１３７】
更なるスライダ９４には、更なるパイプ手段９８を受けるよう配置した更なる座１１４を、  更なるスライダ９４をパイプ手段９７上で摺動可能にして、獲得する。
【０１３８】
更なる座１１４を、更なるパイプ手段９８を長尺要素４７に閉鎖構成Ｋで連結するようにして、形成する。
【０１３９】
スライダ９１により近い管状要素４６の１部分で、パイプ手段９７を、冷却装置１３が閉鎖構成Ｋから開放構成Ｈに変化する際に、管状要素４６内側で部分的に受容可能にする開口手段１１５を獲得する。
【０１４０】
同様に、更なるスライダ９４により近い長尺要素４７の１部分で、更なるパイプ手段９８を、冷却装置１３が閉鎖構成Ｋから開放構成Ｈに変化する際に、長尺要素４７内側で部分的に受容可能にする更なる開口手段１１６を獲得する。
【０１４１】
図１８で示すように、パイプ手段９７は、管状要素４６内に獲得し、プリフォーム８の底部ゾーン５１に対面する開口手段１１５でプリフォーム８を受容するよう配置したチャンバ４９に入る。
【０１４２】
プリフォーム８とチャンバ４９との間の、プリフォーム８の首ゾーン５４の所で、チャンバ４９を外部環境と連結する通路５２を、画定する。
【０１４３】
運転時に、流体流、例えば加圧空気を、開口手段１１５を通してチャンバ４９内部に導入する。
【０１４４】
流体流はまずプリフォーム８の底部ゾーン５１と相互作用し、その後、プリフォーム８の外面５６とチャンバ４９との間で画定する間隙部５５を経て進み、この流れはそこから流れを外部環境に放出する通路５２に到達する。
【０１４５】
長尺要素４７には、その端部に、プリフォーム８の底部ゾーン５１と対面する開口部５８を備えるディスペンサ５７を含む。
【０１４６】
ディスペンサ５７をプリフォーム８の開口ゾーン５９からプリフォーム８内側に導入し、開口部５８を底部ゾーン５１から一定距離に置くようにして配設する。
【０１４７】
更なる供給導管５７とプリフォーム８の内面６１との間で、開口ゾーン５９で外部環境と連結する更なる間隙部６０を画定する。
【０１４８】
運転時には、流体流、例えば加圧空気を、底部ゾーン５１に向け、内面６１を伝い、開口ゾーン５９から外部環境に到達させる。
【０１４９】
上記開示では、各プリフォーム８を加圧流体流によって、及び、外面５６と、及び内面６１と夫々同時に相互作用する更なる加圧流体流によって、冷却することについて示している。
【０１５０】
各プリフォーム８を、このように効果的に冷却し、それにより良好な寸法安定性を獲得可能となり、プリフォーム８に作られるプラスチックの望ましくない結晶形成を防止可能になる。
【０１５１】
図１９を参照すると、管状要素４６及び長尺要素４７を動作させるよう配置した駆動手段１３０について、示している。
【０１５２】
駆動手段１３０には、管状要素４６を動作させるよう配置した複数の第１空気圧シリンダ１３１、及び長尺要素４７を動作させるよう配置した複数の第２空気圧シリンダ１３２を含む。
【０１５３】
第１空気圧シリンダ１３１の数を、主カルーセル１１で回転可能に支持する更なるカルーセル１２の数に応じて提供し、対応する第１空気圧シリンダ１３１を各更なるカルーセル１２と関連させる。
【０１５４】
同様に、第２空気圧シリンダ１３２の数を、主カルーセル１１で回転可能に支持する更なるカルーセル１２の数に応じて提供し、対応する第２空気圧シリンダ１３２を各更なるカルーセル１２と関係させる。
【０１５５】
第１空気圧シリンダ１３１及び第２空気圧シリンダ１３２を、主カルーセル１１に固定し、回転軸Ｂの周りで主カルーセル１１と共に回転させる。
【０１５６】
各第１シリンダ１３１には、収縮位置と延伸位置との間で可動で、上記収縮位置と上記延伸位置との間でバー１３５によってガイドするステム１３４を含む。
【０１５７】
ガイド柱９２に沿ってスライダ９１を可動に配置するブラケット１３６を、ステム１３４の自由端と関連させる。
【０１５８】
ブラケット１３６は、スライダ９１で回転可能に支持する転動要素１３７と相互作用する。
【０１５９】
同様に、各第２空気圧シリンダ１３２には、更なる収縮位置と更なる延伸位置との間で可動な、及び上記収縮位置と上記延伸位置との間で更なるバー１３９でガイドする更なるステム１３８を含む。
【０１６０】
ガイド柱９２に沿って更なるスライダ９４を可動に配置する更なるブラケット１４０を、更なるステム１３８の自由端と関連させる。
【０１６１】
更なるブラケット１４０は、更なるスライダ９４で回転可能に支持する更なる転動要素１４１と相互作用する。
【０１６２】
管状要素４６と長尺要素を互いに接近するよう移動させ、更なるカルーセル１２を夫々の更なる回転軸Ｃの周りに回転させると、回転要素１３７がガイドに届き、更なる回転要素１４１が更なるガイドに届く。
【０１６３】
上記ガイド及び上記更なるガイドにより、部分的に更なるカルーセル１２を囲み、冷却装置１３を閉鎖構成Ｋで維持する。
【０１６４】
第１空気圧シリンダ１３１及び第２空気圧シリンダ１３２により更にまた、冷却装置１３を、ばね９５及び更なるばね９６と協働させて開放構成Ｈに、戻す。
【０１６５】
これを、ステム１３４が延伸位置にある間に、上記ガイドにより転動要素をブラケット１３６に入れてから、及び更なるステム１３８が更なる延伸位置にある間に、更なるガイドにより更なる転動要素を更なるブラケット１４０に入れてから、行う。
【０１６６】
このように、ただ１つの第１空気圧シリンダ及びただ１つの第２空気圧シリンダを各更なるカルーセルに使用でき、この第１空気圧シリンダを連続して、更なるカルーセル１２に備えた全冷却装置１３と相互作用させる。
【０１６７】
或は、冷却装置の数と同数の空気圧シリンダを提供可能である。その場合、空気圧シリンダを更なるカルーセル１２に設置できる。
【０１６８】
図２０及び図２１を参照すると、駆動手段１３０には、管状要素４６を移動させるよう配置する複数の第１アクチュエータ１４２、及び長尺要素４７を移動させるよう配置する複数の第２アクチュエータ１４３を含む。多くの第１アクチュエータ１４２を、主カルーセル１１で回転可能に支持する更なるカルーセル１２の数に応じて提供し、対応する第１アクチュエータ１４２を各更なるカルーセル１２と関連させる。
【０１６９】
同様に、多くの第２アクチュエータ１４３を、主カルーセル１１で回転可能に支持する更なるカルーセル１２の数に応じて提供し、対応する第２アクチュエータ１４３を各更なるカルーセル１２と関連させる。
【０１７０】
第１アクチュエータ１４２及び第２アクチュエータ１４３を、主カルーセル１１に固定し、主カルーセル１１と共に回転軸Ｂの周りに回転させる。
【０１７１】
各第１アクチュエータ１４２には、主カルーセル１１に固定したスリーブ１４８を含み、該主カルーセル１１内側に、スライダ９１を制御するよう配置した第１端部１５０と、該第１端部１５０と反対側で、カムと協働するホイールを提供する第２端部１５１とを有するロッド１４９を摺動可能にする。
【０１７２】
同様に、各第２アクチュエータ１４３には、主カルーセル１１に固定した更なるスリーブ１４４を含み、該主カルーセル１１の内側に、更なるスライダ９４を制御するよう配置した更なる第１端部１４６と、該更なる第１端部１４６と反対側で、図２１に示す更なるカム１５２と協働する更なるホイールを提供する更なる第２端部１４７とを有する更なるロッド１４５を摺動可能にする。
【０１７３】
カム及び更なるカム１５２を、主カルーセル１１に関して定位置に配置する。
【０１７４】
カム及び更なるカム１５２と夫々協働する上記ホイール及び上記更なるホイールにより、開放構成Ｈと閉鎖構成Ｋとの間での熱調節装置１３の切換を制御する。
【０１７５】
図２２を参照すると、熱調節用カルーセル９について概略を示している。
【０１７６】
参照を容易にするために、図２２では、主カルーセル１１が回転可能に支持する１対の更なるカルーセル１２を示しており、両更なるカルーセル１２には複数の冷却装置１３を備えるが、その内の１つのみを示している。
【０１７７】
熱調節用カルーセル９には、熱調節用流体を更なるカルーセル１２に供給するよう配置する搬送手段６２を含む。
【０１７８】
搬送手段６２には、流体流を冷却装置１３の管状要素４６に供給するよう配置する第１搬送手段６３と、更なる流体流を冷却装置の長尺要素４７に供給するよう配置する第２搬送手段６４とを含む。
【０１７９】
第１搬送手段６３には、熱交換器６７に繋がる導管６６に供給するファン６５を含み、該熱交換器６７内側で流体を冷却する。
【０１８０】
熱交換器６７の下流には、中空ケーシング６８を、熱調節用カルーセル９の支持フレームに、主カルーセル１１の回転中にでも静止した状態で維持するようにして固定して、これを備える。
【０１８１】
図２３で示すように、第１回転マニホールド６９を、第１シール要素１１７によって、中空ケーシング６８と関連させる。
【０１８２】
第１回転マニホールド６９を、主カルーセル１１と連結させるが、中空ケーシング６８に関して回転可能にし、該マニホールド６９により、各更なるカルーセル１２に備えた冷却装置１３に供給する。
【０１８３】
第１回転マニホールド６９には複数の開口部１１８を含み、各開口部１１８を夫々の更なるカルーセル１２と関連させる。
【０１８４】
各更なるカルーセル１２には、更なるカルーセル１２に結合して、第１回転マニホールド６９に関して回転可能な第２回転マニホールド１１９を含み、第２シール手段１２０を、第２回転マニホールド１１９と第１回転マニホールド６９との間に間置する。
【０１８５】
第２回転マニホールド１１９には開口端部１２１を含み、開口部１１８を介して第１回転マニホールド６９と連結している。
【０１８６】
第２回転マニホールド１１９は、その開口端部１２１の反対側のゾーンに関して、更なるカルーセル１２のプレート手段１０９によって、範囲が画定する。
【０１８７】
運転時には、ファン６５により、導管６６を経由して、流体流を熱交換器６７に送る。
【０１８８】
流体流は、熱交換器６７で冷却後に、中空ケーシング６８を通過して、第１回転マニホールド６９に到達する。
【０１８９】
その後、開口部１１８を通過した後に、流体流は、更なるカルーセル１２と関連した第２回転マニホールド１１９に到達する。
【０１９０】
更にその後、孔手段１１１を介して第２回転マニホールド１１９に連結したパイプ手段９７により、流体流を管状要素４６に供給する。
【０１９１】
第２搬送手段６４には、その内側で流体を冷却する更なる熱交換器７２に繋がる更なる導管７１に供給する更なるファン７０を含む。
【０１９２】
更なる熱交換器７２の下流には、更なる中空ケーシング７３を、熱調節用カルーセル９の支持フレームに、主カルーセル１１が回転中でも静止した状態で維持するようにして固定して、これを備える。
【０１９３】
図２４で示すように、更なる第１回転マニホールド７４を、更なる第１シール要素１２２によって、更なる中空ケーシング７３と関連させる。
【０１９４】
更なる第１回転マニホールド７４を、主カルーセル１１と結合させて、更なる中空ケーシング７３に関して回転可能にし、該マニホールド７４により、各更なるカルーセル１２に備えた冷却装置１３に供給する。
【０１９５】
更なる中空ケーシング７３には、複数の更なる開口部１２３を含み、各更なる開口部１２３を夫々の更なるカルーセル１２と関連させる。
【０１９６】
各更なるカルーセル１２には、更なるカルーセル１２と結合して、更なる第１回転マニホールド７４に関して回転可能な更なる第２回転マニホールド１２４を含み、更なる第２シール手段１２５を、更なる第２回転マニホールド１２４と更なる第１回転マニホールド７４との間に間置する。
【０１９７】
更なる第２回転マニホールド１２４には更なる開口端部１２６を含み、更なる開口部１２３を介して更なる第１回転マニホールド７４と連結している。
【０１９８】
更なる第２回転マニホールド１２４は、その更なる開口端部１２６の反対側のゾーンに関して、更なるカルーセル１２の更なるプレート手段１１０によって、範囲が画定する。
【０１９９】
運転時には、更なる流体流を長尺要素４７に、上記で開示した、流体流を管状要素４６に送るのと同様にして、送る。
【０２００】
第１回転マニホールド６９及び更なる第１回転マニホールド７４を、第２回転マニホールド１１９及び更なる第２回転マニホールド１２４と夫々協働させることで、各更なるカルーセル１２に効果的に供給可能になる。
【０２０１】
更にまた、互いに異なる第１搬送手段６３と第２搬送手段６４を備えるため、冷却装置１３の管状要素４６と長尺要素４７を通り、プリフォームの内側部分及び外側部分を、互いに異なる温度を有する流体流及び更なる流体流で、冷却できる。
【０２０２】
特に、通常プリフォーム８の外面５６より高温であるプリフォーム８の内面６１を、外面５６と相互作用する更なる流体流より低温の流体流で、冷却できる。
【０２０３】
これを、熱交換器６７の及び更なる熱交換器７２の運転を適切に調節することで、極めて容易に獲得できる。
【０２０４】
図示しない実施例では、熱調節用カルーセル９には、吸引手段を、プリフォームを冷却後外部環境に到達した冷却流体を抜出すよう配置して、これを備える。
【０２０５】
吸引手段には、回転軸Ｂに隣接して、プリフォーム８を出た後に、主カルーセル１１の内部ゾーンに向かう冷却流体の一部を吸引するよう配置する第１吸引手段を含み、同ゾーンは、主カルーセル１１の中心支持要素１２７と更なるカルーセル１２との間に略含まれる。
【０２０６】
吸引手段には更にまた、主カルーセル１１の周縁部に配置する第２吸引手段を、プリフォーム８を出た後に、主カルーセル１１の外側に向かう冷却流体の更なる部分を抜き出すために、これを含む。
【０２０７】
第２吸引手段には吸引装置を含み、該吸引装置を、更なるカルーセル１２が移動する軌道に沿って配設し、且つ∂更なるカルーセル１２が更なる装置、例えば、プリフォーム８を冷却装置１３に供給するための移送用カルーセル１０、及びプリフォーム８を冷却装置１３から取出すための取出用カルーセル３３等と、相互作用しない該軌道の部分に配置する。
【０２０８】
図示しない別の実施例では、第１搬送手段６３及び第２搬送手段６４によって、流体流及び更なる流体流を、吹込むよりはむしろ、吸引できる。
【０２０９】
図示しない更なる実施例では、第１搬送手段６３で流体流を吸引でき、第２搬送手段６４で更なる流体流を吹込める、又はその逆も可能である。
【０２１０】
図２５乃至図２８を参照すると、熱調節用カルーセル１０９について、１バージョンに従い作製してこれを示す。熱調節用カルーセル１０９には、熱調節用環境７８内側に配置する回転円盤７７を含む。
【０２１１】
円盤７７には、円盤７７に関して半径方向に配設し、夫々でプリフォーム８の列を受容するよう配置する複数のチャンネル７９を備える。
【０２１２】
円盤７７にプリフォーム８を、図示しない移送用カルーセルによって供給できるが、該カルーセルにより複数のプリフォーム８を連続して隣接するチャンネル７９に、円盤７７の回転中に、導入する。
【０２１３】
熱調節用環境７８については壁８０上方でその境界を定めるが、該壁８０を通り複数の分配ノズル８１が熱調節用環境７８内側に突出して、プリフォーム８の内側部分を冷却するよう配置する流体流を搬送する。
【０２１４】
壁８０を、円盤７７の回転中、定位置で維持する。
【０２１５】
壁８０とバッフル８２を関連させ、該バッフル８２は熱調節用環境７８内側に突出して、プリフォーム８に備える突出部と相互作用するが、この突出部は、プリフォーム８を成形して得た容器を密封する目的のキャップの不正開封防止リングと、協働させるために配置するものである。  
【０２１６】
バッフル８２は、螺旋部分で画定する経路に沿って延在する。
【０２１７】
円盤７７の回転中、チャンネル７９内側で受容するプリフォーム８を、バッフル８２と相互作用させて、矢印Ｆで示すように、円盤７７の周縁ゾーン８４から円盤７７の中心ゾーン８５までシフトさせる。
【０２１８】
分配ノズル８１を、プリフォーム８がそれに沿って移動する螺旋軌道に沿って配置するが、プリフォーム８が分配ノズル８１の下方を通過する際に、流体流が、少なくとも部分的にプリフォーム８内に入り込むようにして、これを行う。
【０２１９】
ガイド要素８６を、円盤７７の中心ゾーン８５に備え、該ガイド要素により、プリフォームをチャンネル７９から一度に１個ずつ抜出して、プリフォームを熱調節用カルーセル１０９から滑り落すシュート８７に方向付ける。
【０２２０】
熱調節用カルーセル１０９には更にまた、熱調節用環境７８内側に、プリフォーム８の外部と相互作用するよう配置する更なる流体流を導入する供給用導管８８を含む。
【０２２１】
供給用導管８８は円盤７７の周縁ゾーン８４に繋がり、円盤７７に関して略半径方向に流体を方向付ける。
【０２２２】
更なる流体流は、このようにまず初めに、円盤７７の周縁ゾーン８５付近にあるより高温のプリフォーム８と相互作用し、その結果冷却作用を最大限にする。
【０２２３】
図２２乃至図２４で開示したのと同様に、熱調節用カルーセル１０９には、分配ノズル８１に供給するよう配置する第１搬送手段６３、及び供給用導管８８に供給するよう配置する第２搬送手段６４を含む。
【０２２４】
第１搬送手段６３には、図示しないファン及びその内側で流体を冷却する熱交換器６７を含む。
【０２２５】
第２搬送手段６４には、図示しない更なるファン及びその内側で流体を冷却する更なる熱交換器７２を含む。
【０２２６】
壁８０には、複数の孔-図示しない-を備えており、該孔を通してプリフォーム８と相互作用した流体を、熱調節用環境７８からパイプ９０を経由して取出して、再び第１搬送手段６３及び／又は第２搬送手段６４に送出する。
【図面の簡単な説明】
【０２２７】
【図１】プラスチックを成形する装置の平面図である。
【図２】図１の装置の成形用カルーセル手段、移送用カルーセル手段、熱調節用カルーセル手段及び抜出用カルーセル手段に関する略平面図である。
【図３】１バージョンに従い作製した、図１の装置の熱調節用カルーセル手段に関する略平面図である。
【図４】熱調節用カルーセル手段の別なバージョンを示す、図３の如き図である。
【図５】熱調節用カルーセル手段に回転可能に支持した搬送ユニット手段を示す、図４のＶ-Ｖ線に沿った略断面図である。
【図６】更なるバージョンの熱調節用カルーセル手段を示す、図３の如き図である。
【図７】図６のＶＩＩ-ＶＩＩ線に沿った略断面図である。
【図８】なお更なるバージョンの熱調節用カルーセル手段を示す、図３の如き図である。
【図９】図８のＩＸ-ＩＸ線に沿った略断面図である。
【図１０】より詳細に移送用カルーセル手段を示す、図２の如き図である。
【図１１】更なる実施例の移送カルーセル手段の部分的な斜視図である。
【図１２】図１１の移送用カルーセル手段の略平面図である。
【図１３】図１１の移送用カルーセル手段の更なる略平面図である。
【図１４】図１１の移送用カルーセル手段の上部プレートの平面図である。
【図１５】抜出用カルーセル手段の略平面図である。
【図１６】熱調節用カルーセル手段と関連した熱調節手段の、閉鎖構成でこれを示す、縦断面である。
【図１７】熱調節手段を開放構成で示す、図１６の様な断面図である。
【図１８】図１６の熱調節手段の詳細である。
【図１９】熱調節手段を動作させるよう配置した空気圧作動手段（ｍｅｚｚｉ  ａｔｔｕａｔｏｒｉ  ｐｎｅｕｍａｔｉｃｉ）を示す、移送用カルーセル手段の一部分を断面にした側面図である。
【図２０】熱調節手段を動作させるよう配置したカム作動手段を示す、図１９の如き図である。
【図２１】図２０の作動用カム手段のカムの平面に沿って表したものである。
【図２２】熱調節用カルーセル手段の縦断面に沿った略断面図である。
【図２３】図２２の図式的な詳細図である。
【図２４】図２２の更なる図式的な詳細図である。
【図２５】更なるバージョンの熱調節用カルーセル手段の略側面図である。
【図２６】図２５の熱調節用カルーセル手段の平面図である。
【図２７】図２５の熱調節用カルーセル手段の縦平面に沿った略断面図である。
【図２８】図２７の詳細図である。
【符号の説明】
【０２２８】
１                    装置
２                    押出機
３                    切断装置
５                    供給用カルーセル
６                    成形型
８                    プリフォーム
９、１０９        熱調節用カルーセル
１０                  移送用カルーセル
１１                  主カルーセル
１２                  更なるカルーセル
１３                  冷却装置
１４                  アーム要素
１６                  溝
１７                  ターンテーブル
１８、１４５        ロッド
１９                  支持ブロック
２０                  ハンドリングユニット
２２                  取出要素
２４                  レバー
２８、３１、１０３，１０４転動要素
２９、３２        カムプロフィール
３０                  固定プレート
３３                  取出用カルーセル
３５                  検査手段
３６                  テレビカメラ手段
３７                  照明手段
３９、４０、４１      テレビカメラ
４６                  管状要素
４７                  長尺要素
４９                  チャンバ
５１                  底部ゾーン
５２                  通路
５５、６０        間隙部
５６                  外面
５７                  ディスペンサ
５９                  開口ゾーン
６２、６３、６４      搬送手段
６５、７０        ファン
６６、７１、８８      導管
６７、７２        熱交換器
６８、７３        中空ケーシング
６９、７４        第１回転マニホールド
７７                  回転円盤
７８                  熱調節用環境
７９                  チャンネル
８０                  壁
８１                  分配ノズル
８２                  バッフル
８４、１０５        周縁ゾーン
８５、１０６        中心ゾーン
９０                  パイプ
９１、９４        スライダ
９２                  ガイド柱
９３                  シャフト
９５、９６        ばね
９７、９８        パイプ手段
１００                搬送ユニット
１０１                ループ状搬送ユニット
１０２                ループ状可撓性要素
１１０                更なるプレート手段
１１１、１１２孔手段
１１３                座
１１５、１１６開口手段
１１７、１２０、１２５    シール要素
１１９                第２回転マニホールド
１３０                駆動手段
１３１、１３２        空気圧シリンダ
１３４、１３８        ステム
１３５、１３９        バー
１３６                ブラケット
１４２、１４３        アクチュエータ
１４４、１４８        スリーブ
１４９                更なるロッド
１５２                更なるカム
１６０                搬送装置
【図１】
2008531350.tif 000003
【図２】
2008531350.tif 000004
【図３】
2008531350.tif 000005
【図４】
2008531350.tif 000006
【図５】
2008531350.tif 000007
【図６】
2008531350.tif 000008
【図７】
2008531350.tif 000009
【図８】
2008531350.tif 000010
【図９】
2008531350.tif 000011
【図１０】
2008531350.tif 000012
【図１１】
2008531350.tif 000013
【図１２】
2008531350.tif 000014
【図１３】
2008531350.tif 000015
【図１４】
2008531350.tif 000016
【図１５】
2008531350.tif 000017
【図１６】
2008531350.tif 000018
【図１７】
2008531350.tif 000019
【図１８】
2008531350.tif 000020
【図１９】
2008531350.tif 000021
【図２０】
2008531350.tif 000022
【図２１】
2008531350.tif 000023
【図２２】
2008531350.tif 000024
【図２３】
2008531350.tif 000025
【図２４】
2008531350.tif 000026
【図２５】
2008531350.tif 000027
【図２６】
2008531350.tif 000028
【図２７】
2008531350.tif 000029
【図２８】
2008531350.tif 000030
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
所定量のペースト状プラスチックを供給するよう配置する押出手段（２）と、前記所定量を圧縮成形して被成形体（８）を得るよう配置する成形手段（６）を備える成形用カルーセル（７）と、前記被成形体を熱的に調節するよう配置する熱調節装置とを含む装置であって、前記熱調節装置には、前記成形用カルーセル（７）とは別個の熱調節用カルーセル（９；１０９）を含むこと、を特徴とする装置。
【請求項２】
前記被成形体には、容器プリフォーム（８）を含むこと、を特徴とする請求項１に記載の装置。
【請求項３】
前記熱調節用カルーセル（９）には、カルーセル手段（１１）及び前記カルーセル手段（１１）によって支持し、前記カルーセル手段（１１）に関して可動な搬送ユニット手段（１２；１０１）を含み、熱調節手段（１３）を前記搬送ユニット手段（１２；１０１）と関連させること、を特徴とする請求項１又は２に記載の装置。
【請求項４】
前記熱調節手段には、冷却手段（１３）を含むこと、を特徴とする請求項３に記載の装置。
【請求項５】
前記カルーセル手段（１１）を連続的に夫々の回転軸手段（Ｂ）周りに回転させるよう配置する駆動手段を、更に含むこと、を特徴とする請求項３又は４に記載の装置。
【請求項６】
前記カルーセル手段（１１）を夫々の回転軸手段（Ｂ）周りに角度的にインデックス回転させるよう配置する駆動手段を更に含むこと、を特徴とする請求項３又は４に記載の装置。
【請求項７】
前記搬送ユニット手段には、更なるカルーセル手段（１２）を含むこと、を特徴とする請求項３乃至６の何れか１項に記載の装置。
【請求項８】
前記更なるカルーセル手段には、複数のカルーセル（１２）を含むこと、を特徴とする請求項７に記載の装置。
【請求項９】
前記カルーセル（１２）を、前記カルーセル手段（１１）の円周方向に配置すること、を特徴とする請求項８に記載の装置。
【請求項１０】
前記カルーセル（１２）を、前記カルーセル手段（１１）の周縁ゾーンに配置すること、を特徴とする請求項８又は９に記載の装置。
【請求項１１】
前記カルーセル（１２）を前記カルーセル手段（１１）に略一定の角度間隔で配設すること、を特徴とする請求項８乃至１０の何れか１項に記載の装置。
【請求項１２】
前記カルーセル（１２）を夫々の回転軸（Ｃ）周りに連続的に回転させるよう配置する更なる駆動手段を更に含むこと、を特徴とする請求項８乃至１１の何れか１項に記載の装置。
【請求項１３】
前記カルーセル（１２）を夫々の回転軸（Ｃ）周りに角度的にインデックス回転させるよう配置する更なる駆動手段を更に含むこと、を特徴とする請求項８乃至１１の何れか１項に記載の装置。
【請求項１４】
前記カルーセル（１２）を、略前記カルーセル手段（１１）と略平行に配置すること、を特徴とする請求項８乃至１３の何れか１項に記載の装置。
【請求項１５】
前記カルーセル（１２）を前記カルーセル手段（１１）に関して横断方向に配置すること、を特徴とする請求項８乃至１３の何れか１項に記載の装置。
【請求項１６】
前記カルーセル（１２）を、前記カルーセル手段（１１）に関して略半径方向に配置すること、を特徴とする請求項１５に記載の装置。
【請求項１７】
各前記カルーセル（１２）には、前記熱調節手段である複数の熱調節装置（１３）を含むこと、を特徴とする請求項８乃至１６の何れか１項に記載の装置。
【請求項１８】
前記熱調節装置（１３）を、各前記カルーセル（１２）の円周方向に配置すること、を特徴とする請求項１７に記載の装置。
【請求項１９】
前記熱調節装置（１３）を、各前記カルーセル（１２）の周縁ゾーンに配置すること、を特徴とする請求項１７又は１８に記載の装置。
【請求項２０】
前記熱調節装置（１３）を、前記カルーセル（１２）に略一定の角度間隔で配設すること、を特徴とする請求項１７乃至１９の何れか１項に記載の装置。
【請求項２１】
前記搬送ユニット手段（１００）には、ループ状の搬送ユニット手段（１０１）を含むこと、を特徴とする請求項３乃至６の何れか１項に記載の装置。
【請求項２２】
前記ループ状搬送ユニット手段には、複数のループ状搬送ユニット（１０１）を含むこと、を特徴とする請求項２１に記載の装置。
【請求項２３】
前記ループ状搬送ユニット（１０１）には、前記カルーセル手段（１１）に関して可動で、前記被成形体（８）を受容するよう配置するループ状可撓性要素（１０２）を含むこと、を特徴とする請求項２２に記載の装置。
【請求項２４】
前記ループ状搬送ユニット（１０１）を、前記カルーセル手段（１１）の円周方向に配置すること、を特徴とする請求項２２又は２３に記載の装置。
【請求項２５】
前記ループ状搬送ユニット（１０１）を、前記カルーセル手段（１１）に略一定の角度間隔で配設すること、を特徴とする請求項２２乃至２４の何れか１項に記載の装置。
【請求項２６】
前記ループ状搬送ユニット（１０１）を連続的に駆動するよう配置するなお更なる駆動手段を更に含むこと、を特徴とする請求項２２乃至２５の何れか１項に記載の装置。
【請求項２７】
前記ループ状搬送ユニット（１０１）をインデックス回転させるよう配置するなお更なる駆動手段を更に含むこと、を特徴とする請求項２２乃至２５の何れか１項に記載の装置。
【請求項２８】
前記ループ状可撓性要素（１０２）は、前記カルーセル手段（１１）の周縁領域（１０５）と前記カルーセル手段（１１）の中心領域（１０６）との間に延在すること、を特徴とする請求項２３に記載の、又は請求項２３に付属する請求項２４乃至２７の何れか１項に記載の装置。
【請求項２９】
前記ループ状可撓性要素（１０２）は、前記カルーセル手段（１１）と略平行に延在すること、を特徴とする請求項２８に記載の装置。
【請求項３０】
前記ループ状可撓性要素（１０２）には、前記カルーセル手段（１１）に近い部分及び前記カルーセル手段（１１）から遠い部分を含むこと、を特徴とする請求項２３に記載の、又は請求項２３に付属する請求項２４乃至２７の何れか１項に記載の装置。
【請求項３１】
前記ループ状可撓性要素（１０２）は、前記カルーセル手段（１１）に関して横断方向に延在すること、を特徴とする請求項３０に記載の装置。
【請求項３２】
前記ループ状可撓性要素（１０２）は、前記カルーセル手段（１１）に関して略垂直に延在すること、を特徴とする請求項３１に記載の装置。
【請求項３３】
各ループ状搬送ユニット（１０１）には、前記熱調節手段である複数の熱調節装置（１３）を含むこと、を特徴とする請求項２２乃至３２の何れか１項に記載の装置。
【請求項３４】
前記熱調節装置（１３）を、ループ状搬送ユニット（１０１）に略一定間隔で配設すること、を特徴とする請求項３３に記載の装置。
【請求項３５】
前記熱調節手段には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項３乃至３４の何れか１項に記載の装置。
【請求項３６】
前記空洞手段（４９）と前記長尺要素（５７）を、互いに近接離隔可動にすること、を特徴とする請求項３５に記載の装置。
【請求項３７】
前記熱調節用カルーセル（１０９）には、熱調節用チャンバ手段（７８）を含み、該チャンバ手段内側でガイド手段（７９）を画定し、該ガイド手段に沿って前記被成形体（８）を、列を画定するようにして前進させ、前記ガイド手段（７９）を、前記熱調節用チャンバ手段（７８）内側に備えたカルーセル手段（７７）内に獲得すること、を特徴とする請求項１乃至３の何れか１項に記載の装置。
【請求項３８】
前記ガイド手段（７９）は、前記カルーセル手段（７７）の周縁ゾーン（８４）と前記カルーセル手段（７７）の中心ゾーン（８５）との間に延在すること、を特徴とする請求項３７に記載の装置。
【請求項３９】
前記ガイド手段（７９）を、前記カルーセル手段（７７）に関して略半径方向に配置すること、を特徴とする請求項３８に記載の装置。
【請求項４０】
前記被成形体（８）を前記ガイド手段（７９）に沿って移動させるよう配置する移動手段（８２）を更に含むこと、を特徴とする請求項３７乃至３９の何れか１項に記載の装置。
【請求項４１】
前記移動手段には、前記カルーセル手段（７９）に関して定位置に配置して、前記被成形体（８）と相互作用する転向手段（８２）を含むこと、を特徴とする請求項４０に記載の装置。
【請求項４２】
前記転向手段には、前記周縁ゾーン（８４）から前記中心ゾーン（８５）へと収束する経路に沿って延在するバッフル手段（８２）を含むこと、を特徴とする請求項４０を請求項３８又は３９に付属するものとして請求項４１に記載の装置。
【請求項４３】
前記経路には螺旋部分を含むこと、を特徴とする請求項４２に記載の装置。
【請求項４４】
前記バッフル手段（８２）は、前記調節用チャンバ手段（７８）内側で、前記調節用チャンバ手段（７８）の範囲を画定する前記壁手段（８０）から突出すること、を特徴とする請求項４２又は４３に記載の装置。
【請求項４５】
前記壁（８０）を、前記カルーセル手段（７７）と略平行に配置すること、を特徴とする請求項４４に記載の装置。
【請求項４６】
前記被成形体（８）に流体流を向けるよう配置する分配ノズル手段（８１）を、更に含むこと、を特徴とする請求項３７乃至４５の何れか１項に記載の装置。
【請求項４７】
前記分配ノズル手段には、前記経路に沿って略配置する複数のノズル（８１）を含むこと、を特徴とする請求項４２乃至４５の何れか１項に付属する請求項４６に記載の装置。
【請求項４８】
前記分配ノズル手段（８１）を前記壁手段（８０）と関連させること、を特徴とする請求項４６を請求項４４又は４５に付属するものとして請求項４６又は４７に記載の装置。
【請求項４９】
前記分配ノズル手段  （８１）は、前記調節用チャンバ手段（７８）内側で、前記壁手段から、前記流体流を前記被成形体（８）の内側部分に向けるようにして、突出すること、を特徴とする請求項４８に記載の装置。
【請求項５０】
更なる流体流を前記調節用チャンバ手段（７８）に搬送するよう配置する搬送手段（８８）を更に含むこと、を特徴とする請求項３７乃至４９の何れか１項に記載の装置。
【請求項５１】
前記搬送手段（８８）は前記調節用チャンバ手段（７８）に前記周縁ゾーン（８４）で繋がること、を特徴とする請求項３８に付属する請求項５０に記載の、又は請求項３８に付属する請求項３９乃至４９の何れか１項に記載の装置。
【請求項５２】
調節用流体手段を前記調節用チャンバ手段（７８）から、前記調節用流体手段が前記被成形体（８）と相互作用した後、取出すよう配置する取出手段を、更に含むこと、を特徴とする請求項３７乃至５１の何れか１項に記載の装置。
【請求項５３】
前記取出手段には、前記壁手段（８０）に獲得する取出用開口手段と関連する吸引手段を含むこと、を特徴とする請求項４４又は４５に付属する請求項５２に記載の、又は請求項４４又は４５に付属する請求項４６乃至５１の何れか１項に記載の装置。
【請求項５４】
前記取出用開口手段には、複数の穴を含むこと、を特徴とする請求項５３に記載の装置。
【請求項５５】
前記被成形体を前記熱調節用カルーセル手段（９；１０９）から抜出すよう配置する抜出用カルーセル（３３）を更に含むこと、を特徴とする前請求項の何れかに記載の装置。
【請求項５６】
前記被成形体（８）を点検するよう配置する検査手段（３５）を、前記抜出用カルーセル（３３）と関連させること、を特徴とする請求項５５に記載の装置。
【請求項５７】
前記検査手段（３５）には、前記被成形体（８）の画像を得るよう配置するテレビカメラ手段（３６）を含むこと、を特徴とする請求項５６に記載の装置。
【請求項５８】
前記検査手段（３５）には、前記被成形体（８）を照明し、前記テレビカメラ手段（３６）と協働するよう配置する照明手段（３７）を更に含むこと、を特徴とする請求項５７に記載の装置。
【請求項５９】
被成形体（８）を移動させるよう配置する移動手段と、前記被成形体（８）を熱的に調節するよう配置する熱調節手段（１３）とを含む装置であって、前記移動手段には、カルーセル手段（１１）と、前記カルーセル手段（１１）によって支持し、前記カルーセル手段（１１）に関して可動な搬送ユニット手段（１２；１０１）とを含み、前記熱調節手段（１３）を前記搬送ユニット手段（１２；１００）と関連させること、を特徴とする装置。
【請求項６０】
前記被成形体には、容器プリフォーム（８）を含むこと、を特徴とする請求項５９に記載の装置。
【請求項６１】
前記熱調節手段には、冷却装置（１３）を含むこと、を特徴とする請求項５９又は６０に記載の装置。
【請求項６２】
連続的に前記カルーセル手段（１１）を夫々の回転軸手段（Ｂ）周りに回転させるよう配置する駆動手段を、更に含むこと、を特徴とする請求項５９乃至６１の何れか１項に記載の装置。
【請求項６３】
前記カルーセル手段（１１）を夫々の回転軸手段（Ｂ）周りに角度的にインデックス回転させるよう配置する駆動手段を更に含むこと、を特徴とする請求項５９乃至６１の何れか１項に記載の装置。
【請求項６４】
前記搬送ユニット手段には、更なるカルーセル手段（１２）を含むこと、を特徴とする請求項５９乃至６３の何れか１項に記載の装置。
【請求項６５】
前記更なるカルーセル手段には、複数のカルーセル（１２）を含むこと、を特徴とする請求項６４に記載の装置。
【請求項６６】
前記カルーセル（１２）を、前記カルーセル手段（１１）の円周方向に配置すること、を特徴とする請求項６５に記載の装置。
【請求項６７】
前記カルーセル（１２）を、前記カルーセル手段（１１）の周縁ゾーンに配置すること、を特徴とする請求項６５又は６６に記載の装置。
【請求項６８】
前記カルーセル（１２）を、前記カルーセル手段（１１）に、略一定の角度間隔で配設すること、を特徴とする請求項６５乃至６７の何れか１項に記載の装置。
【請求項６９】
前記カルーセル（１２）を夫々の回転軸（Ｃ）周りに連続的に回転させるよう配置する更なる駆動手段を、更に含むこと、を特徴とする請求項６５乃至６８の何れか１項に記載の装置。
【請求項７０】
前記カルーセル（１２）を夫々の回転軸（Ｃ）周りに角度的にインデックス回転させるよう配置する更なる駆動手段を、更に含むこと、を特徴とする請求項６５乃至６８の何れか１項に記載の装置。
【請求項７１】
前記カルーセル（１２）を、前記カルーセル手段（１１）と略平行に配置すること、を特徴とする請求項６５乃至７０の何れか１項に記載の装置。
【請求項７２】
前記カルーセル（１２）を、前記カルーセル手段（１１）に関して横断方向に配置すること、を特徴とする請求項６５乃至７０の何れか１項に記載の装置。
【請求項７３】
前記カルーセル（１２）を、前記カルーセル手段（１１）に関して略半径方向に配置すること、を特徴とする請求項７２に記載の装置。
【請求項７４】
各前記カルーセル（１２）には、前記熱調節手段の複数の熱調節装置（１３）を含むこと、を特徴とする請求項６５乃至７３の何れか１項に記載の装置。
【請求項７５】
前記熱調節装置（１３）を、各前記カルーセル（１２）上で円周方向に配置すること、を特徴とする請求項７４に記載の装置。
【請求項７６】
前記熱調節装置（１３）を、各前記カルーセル（１２）の周縁ゾーンに配置すること、を特徴とする請求項７４又は７５に記載の装置。
【請求項７７】
前記熱調節装置（１３）を、前記カルーセル（１２）に、略一定の角度間隔で配設すること、を特徴とする請求項７４乃至７６の何れか１項に記載の装置。
【請求項７８】
前記搬送ユニット手段（１００）には、ループ状搬送ユニット（１０１）を含むこと、を特徴とする請求項５９乃至６３の何れか１項に記載の装置。
【請求項７９】
ループ状搬送ユニット手段には、複数のループ状搬送ユニット（１０１）を含むこと、を特徴とする請求項７８に記載の装置。
【請求項８０】
前記ループ状搬送ユニット（１０１）には、前記カルーセル手段（１１）に関して可動で、前記被成形体（８）を受容するよう配置するループ状可撓性要素（１０２）を含むこと、を特徴とする請求項７９に記載の装置。
【請求項８１】
前記ループ状搬送ユニット（１０１）を、前記カルーセル手段（１１）の円周方向に配置すること、を特徴とする請求項７９又は８０に記載の装置。
【請求項８２】
前記ループ状搬送ユニット（１０１）を、前記カルーセル手段（１１）に、略一定の角度間隔で配設すること、を特徴とする請求項７９乃至８１の何れか１項に記載の装置。
【請求項８３】
前記ループ状搬送ユニット（１０１）を連続的に駆動させるよう配置するなお更なる駆動手段を、更に含むこと、を特徴とする請求項７９乃至８２の何れか１項に記載の装置。
【請求項８４】
前記ループ状搬送ユニット（１０１）をインデックス回転させるよう配置するなお更なる駆動手段を更に含むこと、を特徴とする請求項７９乃至８２の何れか１項に記載の装置。
【請求項８５】
前記ループ状可撓性要素（１０２）は、前記カルーセル手段（１１）の周縁領域（１０５）と前記カルーセル手段（１１）の中心地域（１０６）との間に延在すること、を特徴とする請求項８０に記載の装置。
【請求項８６】
前記ループ状可撓性要素（１０２）は、前記カルーセル手段（１１）と略平行に延在すること、を特徴とする請求項８５に記載の装置。
【請求項８７】
前記ループ状可撓性要素（１０２）には、前記カルーセル手段（１１）に近い部分と、前記カルーセル手段（１１）から遠い部分とを含むこと、を特徴とする請求項８０、又は請求項８０に付属する請求項８１乃至８４の何れか１項に記載の装置。
【請求項８８】
前記ループ状可撓性要素（１０２）は、前記カルーセル手段（１１）に関して横断方向に延在すること、を特徴とする請求項８７に記載の装置。
【請求項８９】
前記ループ状可撓性要素（１０２）は、前記カルーセル手段（１１）に略垂直に延在すること、を特徴とする請求項８６に記載の装置。
【請求項９０】
前記ループ状搬送ユニット（１０１）には、前記熱調節手段の複数の熱調節装置（１３）を含むこと、を特徴とする請求項７９乃至８９の何れか１項に記載の装置。
【請求項９１】
前記熱調節装置（１３）を、前記ループ状搬送ユニット単位（１０１）に略一定間隔で配設すること、を特徴とする請求項９０に記載の装置。
【請求項９２】
前記熱調節手段には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項５９乃至９１の何れか１項に記載の装置。
【請求項９３】
前記空洞手段（４９）と前記長尺要素（５７）を、互いに近接離隔可動にすること、を特徴とする請求項９２に記載の装置。
【請求項９４】
熱調節用チャンバ手段（７８）を含み、該チャンバ手段内側でガイド手段（７９）を画定し、該ガイド手段に沿って前記被成形体（８）を、列を画定するようにして前進させる熱的に被成形体（８）を調節する装置であって、前記ガイド手段（７９）を、前記熱調節用チャンバ手段（７８）内側に備えたカルーセル手段（７７）内に獲得すること、を特徴とする熱的に被成形体（８）を調節する装置。
【請求項９５】
前記被成形体には、容器プリフォーム（８）を含むこと、を特徴とする請求項９４に記載の装置。
【請求項９６】
前記ガイド手段（７９）は、前記カルーセル手段（７７）の周縁ゾーン（８４）と前記カルーセル手段（７７）の中心ゾーン（８５）との間に延在すること、を特徴とする請求項９４又は９５に記載の装置。
【請求項９７】
前記ガイド手段（７９）を、前記カルーセル手段（７７）に関して略半径方向に配置すること、を特徴とする請求項９６に記載の装置。
【請求項９８】
前記被成形体（８）を前記ガイド手段（７９）に沿って移動させるよう配置する移動手段（８２）を更に含むこと、を特徴とする請求項９３乃至９７の何れか１項に記載の装置。
【請求項９９】
前記移動手段には、前記カルーセル手段（７９）に関して定位置に配置して、前記被成形体（８）と相互作用する転向手段（８２）を含むこと、を特徴とする請求項９８に記載の装置。
【請求項１００】
前記転向手段には、前記周縁ゾーン（８４）から前記中心ゾーン（８５）へと収束する経路に沿って延在するバッフル手段（８２）を含むこと、を特徴とする請求項９８を請求項９６又は９７に付属するものとして請求項９９に記載の装置。
【請求項１０１】
前記経路には、螺旋部分を含むこと、を特徴とする請求項１００に記載の装置。
【請求項１０２】
前記バッフル手段（８２）は、前記調節用チャンバ手段（７８）内側で、前記調節用チャンバ手段（７８）の範囲を画定する前記壁手段（８０）から突出すること、を特徴とする請求項１００又は１０１に記載の装置。
【請求項１０３】
前記壁（８０）を、前記カルーセル手段（７７）と略平行に配置すること、を特徴とする請求項１０２に記載の装置。
【請求項１０４】
前記被成形体（８）に流体流を向けるよう配置する分配ノズル手段（８１）を、更に含むこと、を特徴とする請求項９４乃至１０３の何れか１項に記載の装置。
【請求項１０５】
前記分配ノズル手段には、前記経路に沿って略配置する複数のノズル（８１）を含むこと、を特徴とする請求項１００乃至１０３の何れか１項に付属する請求項１０４に記載の装置。
【請求項１０６】
前記分配ノズル手段（８１）を前記壁手段（８０）と関連させること、を特徴とする請求項１０４を請求項１０２又は１０３に付属するものとして請求項１０４又は１０５に記載の装置。
【請求項１０７】
前記分配ノズル手段  （８１）は、前記調節用チャンバ手段（７８）内側で、前記壁手段から、前記流体流を前記被成形体（８）の内側部分に向けるようにして、突出すること、を特徴とする請求項１０６に記載の装置。
【請求項１０８】
更なる流体流を前記調節用チャンバ手段（７８）に搬送するよう配置する搬送手段（８８）を更に含むこと、を特徴とする請求項９４乃至１０７の何れか１項に記載の装置。
【請求項１０９】
前記搬送手段（８８）は前記調節用チャンバ手段（７８）に前記周縁ゾーン（８４）で繋がること、を特徴とする請求項９６に付属する請求項１０８に記載の、又は請求項９６に付属する請求項９７乃至１０８の何れか１項に記載の装置。
【請求項１１０】
調節用流体手段を前記調節用チャンバ手段（７８）から、前記調節用流体手段が前記被成形体（８）と相互作用した後、取出すよう配置する取出手段を、更に含むこと、を特徴とする請求項９４乃至１０９の何れか１項に記載の装置。
【請求項１１１】
前記取出手段には、前記壁手段（８０）に獲得する取出用開口手段と関連する吸引手段を含むこと、を特徴とする請求項１０２又は１０３に付属する請求項１１０に記載の、又は請求項１０２又は１０３に付属する請求項１０４乃至１０９の何れか１項に記載の装置。
【請求項１１２】
前記取出用開口手段には、複数の穴を含むこと、を特徴とする請求項１１１に記載の装置。
【請求項１１３】
端部（５１）及び前記端部（５１）の反対側に更なる端部（５４）を含み、開口部（５９）を備える容器プリフォーム（８）を、熱的に調節する装置には、前記プリフォーム（８）を受容するよう配置する空洞手段（４９）であって、これを該空洞手段（４９）と前記プリフォーム（８）の外面（５６）との間でチャンバを画定するようにして行う前記空洞手段（４９）と、前記プリフォーム（８）の端部（５１）まで調節用流体流を方向付けるよう配置する供給手段（９７）と、前記開口部（５９）から前記プリフォーム（８）内に受容されるよう配置する長尺要素（５７）であって、これを該長尺要素（５７）と前記プリフォーム（８）の内面（６１）との間で、更なるチャンバを画定するようにして行い、更なる調節用流体流を前記端部（５１）に方向付けるよう配置する前記長尺要素（５７）とを含み、前記装置には、前記プリフォーム（８）の形成された首部を受け、前記首部と相互作用して前記プリフォーム（８）を支持する支持要素（４５）を含み、前記支持要素（４５）は前記空洞手段（４９）とは別個であり、前記長尺要素手段（５７）とも別個であり、前記支持要素（４５）、前記空洞手段（４９）及び前記長尺要素手段（５７）を、空隙（５５）を前記外面（５６）と前記空洞手段（４９）との間で画定し、更なる空隙（６０）を前記内面（６１）と前記長尺要素手段（５７）との間で画定するよう相互に配置すること、を特徴とする容器プリフォームを熱的に調節する装置。
【請求項１１４】
前記空洞手段（４９）と前記長尺要素（５７）を、互いに近接離隔可動にすること、を特徴とする請求項１１３に記載の装置。
【請求項１１５】
前記空洞手段（４９）及び前記長尺要素（５７）を支持するカルーセル手段（１１）を更に含むこと、を特徴とする請求項１１３又は１１４に記載の装置。
【請求項１１６】
前記空洞手段には複数の空洞（４９）を含み、前記長尺要素手段には複数の長尺要素（５７）を含み、前記複数の空洞の各空洞（４９）は、前記複数の長尺要素の１長尺要素（５７）と協働して、熱調節ユニット（１３）を定義すること、を特徴とする請求項１１３乃至１１５の何れか１項に記載の装置。
【請求項１１７】
前記カルーセル（１１）によって回転可能に支持する複数のカルーセル（１２）を更に含み、複数の前記熱調節ユニット（１３）を前記複数のカルーセルの各カルーセル（１２）と関連させること、を特徴とする請求項１１５に付属する請求項１１６に記載の装置。
【請求項１１８】
前記調節用流体流及び前記更なる調節用流体流には、冷却用流体手段を含むこと、を特徴とする請求項１１３乃至１１７の何れか１項に記載の装置。
【請求項１１９】
前記冷却用流体手段には加圧空気を含むこと、を特徴とする請求項１１８に記載の装置。
【請求項１２０】
被成形体（８）を移動させるよう配置するカルーセル手段（１１）と、前記カルーセル手段（１１）と関連させ、前記被成形体（８）と相互作用させることを目的とする調節用流体を搬送するよう配置する搬送手段（６２）とを含むこと、を特徴とする熱的に被成形体（８）を調節する装置。
【請求項１２１】
前記被成形体には、容器プリフォーム（８）を含むこと、を特徴とする請求項１２０に記載の装置。
【請求項１２２】
前記搬送手段（６２）には、前記流体を前記被成形体（８）に方向付けるよう配置する分配手段（６５；６６；７０；７１）を含むこと、を特徴とする請求項１２１に記載の装置。
【請求項１２３】
前記搬送手段（６２）には、前記流体を前記被成形体（８）から吸引するよう配置する取出手段を含むこと、を特徴とする請求項１２０乃至１２２の何れか１項に記載の装置。
【請求項１２４】
前記搬送手段（６２）には、前記調節用流体を熱的に調節するよう配置する熱交換手段（６７；７２）を含むこと、を特徴とする請求項１２０乃至１２３の何れか１項に記載の装置。
【請求項１２５】
前記搬送手段（６２）には、前記カルーセル手段（１１）の軸端部に配置する搬送装置（６３）を含むこと、を特徴とする請求項１２０乃至１２４の何れか１項に記載の装置。
【請求項１２６】
前記搬送手段（６２）には、前記カルーセル手段（１１）の更なる軸端部に配置する更なる搬送装置（６４）を含むこと、を特徴とする請求項１２５に記載の装置。
【請求項１２７】
前記搬送手段（６２）には、前記カルーセル手段（１１）に関して定位置に配置して前記流体を受容する中空ケーシング手段（６８；７３）を含むこと、を特徴とする請求項１２０乃至１２６の何れか１項に記載の装置。
【請求項１２８】
前記搬送手段（６２）には、前記カルーセル手段（１１）に固定し、前記中空ケーシング手段（６８；７３）に連結する回転収集手段（６９；７４）を含むこと、を特徴とする請求項１２７に記載の装置。
【請求項１２９】
前記回転収集手段（６９；７４）には、前記カルーセル手段（１１）の異なるゾーンと連結する複数の開口部（１１８；１２６）を含むこと、を特徴とする請求項１２８に記載の装置。
【請求項１３０】
前記カルーセル手段（１１）によって回転可能に支持する複数のカルーセル（１２）を更に含み、熱調節装置（１３）を前記カルーセル（１２）と関連させること、を特徴とする請求項１２０乃至１２９の何れか１項に記載の装置。
【請求項１３１】
各前記開口部（１１８；１２６）を、前記複数のカルーセルの対応するカルーセル（１２）と関連させ、前記カルーセル（１２）に備えた一群の前記熱調節装置（１３）と連結すること、を特徴とする請求項１２９に付属する請求項１３０に記載の装置。
【請求項１３２】
前記熱調節装置（１３）には、前記被成形体（８）を受容するよう配置する空洞手段（４９）であって、これを該空洞手段（４９）と前記被成形体（８）の外面（５６）との間でチャンバ手段（５５）を画定するようにして行う前記空洞手段（４９）と、前記被成形体（８）の端部（５１）まで調節用流体流を方向付けるよう配置する供給手段（９７）と、前記被成形体（８）の開口部（５９）から前記被成形体（８）内に受容されるよう配置する長尺要素（５７）であって、これを該長尺要素（５７）と前記被成形体（８）の内面（６１）との間で、更なるチャンバ（６０）を画定するようにして行い、更なる調節用流体流を前記端部（５１）に方向付けるよう配置する前記長尺要素（５７）とを含むこと、を特徴とする請求項１３０又は１３１に記載の装置。
【請求項１３３】
前記供給手段（９７）に、前記搬送装置（６３）により供給し、前記長尺要素手段（５７）に、前記更なる搬送装置（６４）により供給すること、を特徴とする請求項１２６に付属する請求項１３２に記載の、又は請求項１２６に付属する請求項１２７乃至１３１に記載の装置。
【請求項１３４】
所定量のペースト状プラスチックを供給するよう配置する押出手段（２）と、前記所定量を圧縮成形して容器プリフォーム（８）を得るよう配置する成形手段（６）を備える成形用カルーセル手段（７）と、前記プリフォームを冷却するよう配置する熱調節装置（９）とを含む装置であって、該熱調節装置（９）を前記成形用カルーセル手段（７）の下流に配置すること、及び前記装置には、前記プリフォーム（８）を前記熱調節装置（９）から取出すよう配置する抜出用カルーセル手段（３３）を更に含み、前記プリフォーム（８）を点検するよう配置する検査手段（３５）を、前記抜出用カルーセル手段（３３）と関連させること、を特徴とする装置。
【請求項１３５】
前記検査手段（３５）には、前記プリフォーム（８）の画像を得るよう配置するテレビカメラ手段（３６）を含むこと、を特徴とする請求項１３４に記載の装置。
【請求項１３６】
前記検査手段（３５）には、前記プリフォーム（８）を照明するよう配置し、前記テレビカメラ手段（３６）と協働する照明手段（３７）を、更に含むこと、を特徴とする請求項１３５に記載の装置。
【手続補正２】
【補正対象書類名】明細書
【補正対象項目名】００９９
【補正方法】変更
【補正の内容】
【００９９】
更なる転動要素３１は、更なるカムプロフィール３２と係合し、強制的にロッド１８を回転プレート１７に関して摺動させる。このように、プリフォーム８を予め設定した取出ピッチに従い成形用カルーセル７から取出し、プリフォーム８を熱調節用カルーセル９の更なるカルーセル１２に、取出ピッチとは異なる予め設定した供給ピッチに従い、移送できる。
【国際調査報告】
2008531350.tif 000031
2008531350.tif 000032
2008531350.tif 000033
2008531350.tif 000034
2008531350.tif 000035
2008531350.tif 000036
2008531350.tif 000037
2008531350.tif 000038